(57)【要約】【課題】依頼者から地上機器を設置した後のイメージ画像を要求されてから、依頼者がそのイメージ画像を取得するまでの時間を短縮する。【解決手段】電力設備設置イメージ表示装置は、表示部と、地上機器の設置位置を示す情報である設置位置情報を取得する情報取得部と、表示部に表示する地上機器のサイズを導出する導出部と、設置位置情報と、地上機器のサイズとに基づいて、表示部に、地上機器を合成して表示する合成部とを備える。【選択図】図３
2020191044.tif 000002
【特許請求の範囲】
【請求項１】
表示部と、
地上機器の設置位置を示す情報である設置位置情報を取得する情報取得部と、
前記表示部に表示する前記地上機器のサイズを導出する導出部と、
前記設置位置情報と、前記地上機器の前記サイズとに基づいて、前記表示部に、前記地上機器を合成して表示する合成部と
を備える、電力設備設置イメージ表示装置。
【請求項２】
前記導出部は、前記電力設備設置イメージ表示装置の動きに基づいて、前記地上機器の前記サイズを導出する、請求項１に記載の電力設備設置イメージ表示装置。
【請求項３】
前記地上機器の種類を示す情報を取得する電力設備情報取得部
を備え、
前記情報取得部は、前記電力設備設置イメージ表示装置の動きに基づいて、前記電力設備設置イメージ表示装置に生じる加速度を示す情報と、角速度を示す情報とを取得し、
前記導出部は、前記地上機器の種類を示す情報と、前記加速度を示す情報と、前記角速度を示す情報とに基づいて、前記表示部に表示する前記地上機器の前記サイズを導出する、請求項２に記載の電力設備設置イメージ表示装置。
【請求項４】
地上機器の設置位置に設置されたマーカを検出する検出部を備え、
前記導出部は、前記検出部が検出した前記マーカに基づいて、前記設置位置情報を導出し、前記マーカに基づいて、設置する前記地上機器のサイズを導出する、請求項１から請求項３のいずれか一項に記載の電力設備設置イメージ表示装置。
【請求項５】
前記検出部が検出した前記マーカに表されている正面指定図形の向きを判定する判定部を備え、
前記導出部は、前記判定部が判定した前記マーカの画像に表されている前記正面指定図形の向きに基づいて、前記表示部に表示する前記地上機器の向きを導出し、
前記合成部は、前記導出部が導出した前記地上機器の向きにさらに基づいて、前記表示部に、前記地上機器を合成して表示する、請求項４に記載の電力設備設置イメージ表示装置。
【請求項６】
前記表示部に表示された前記地上機器の状態を変更する情報である状態変更情報を取得する状態変更部
を備え、
前記合成部は、前記状態変更部が取得した前記状態変更情報に基づいて、前記表示部に表示されている前記地上機器の状態を変更する、請求項１から請求項５のいずれか一項に記載の電力設備設置イメージ表示装置。
【請求項７】
前記状態変更情報には、前記地上機器の扉を開閉することを示す情報が含まれ、
前記合成部は、前記地上機器の前記扉を開閉することを示す情報に基づいて、前記表示部に表示されている前記地上機器の状態を変更する、請求項６に記載の電力設備設置イメージ表示装置。
【請求項８】
前記状態変更情報には、前記地上機器の傾きを調整することを示す情報が含まれ、
前記合成部は、前記地上機器の前記傾きを調整することを示す情報に基づいて、前記表示部に表示されている前記地上機器の状態を変更する、請求項６又は請求項７に記載の電力設備設置イメージ表示装置。
【請求項９】
地上機器の設置位置を示す情報である設置位置情報を取得するステップと、
表示部に表示する前記地上機器のサイズを導出するステップと、
前記設置位置情報と、前記地上機器の前記サイズとに基づいて、前記表示部に、前記地上機器を合成して表示するステップと
を有する、電力設備設置イメージ表示装置が実行する電力設備設置イメージ表示方法。
【請求項１０】
コンピュータに、
地上機器の設置位置を示す情報である設置位置情報を取得するステップと、
表示部に表示する前記地上機器のサイズを導出するステップと、
前記設置位置情報と、前記地上機器の前記サイズとに基づいて、前記表示部に、前記地上機器を合成して表示するステップと
を実行させる、電力設備設置イメージ表示プログラム。
【発明の詳細な説明】
【技術分野】
【０００１】
本発明の実施形態は、電力設備設置イメージ表示装置、電力設備設置イメージ表示方法および電力設備設置イメージ表示プログラムに関する。
【背景技術】
【０００２】
地上の配電線などを地中に埋め、電柱をなくすこと、所謂無電柱化が行われている。無電柱化に伴って、地上に地上機器が新設される場合がある。地上に地上機器が新設される場合に、地上機器が新設される前に、地上機器が新設された後のイメージ画像が要求されることがある。依頼者には、道路管理者、住民などが含まれる。
この場合、地上機器を新設する前の画像に、地上機器を直接書き込むことでイメージ画像を作成することが行われている。また、プレゼンテーションソフトウェアなどを使用して、地上機器を新設する前の画像に、地上機器の画像を描くことによってイメージ画像を作成することが行われている。
【０００３】
インフラ設備を管理する技術に関して、インフラ設備の位置をアプリケーションの地図上で特定することができ、作業現場に向かう前に作業現場の様子を視覚的に確認することができる技術が知られている（例えば、特許文献１参照）。
【先行技術文献】
【特許文献】
【０００４】
【特許文献１】特開２０１６−１６４６５５号公報
【発明の概要】
【発明が解決しようとする課題】
【０００５】
前述した方法で、イメージ画像を作成する場合には、現地で、地上機器が新設される予定の場所が撮像され、会社で、撮像することによって得られた画像に、地上機器の画像が配置される。このため、依頼者から地上機器を新設した後のイメージ画像を要求されてから、依頼者がそのイメージ画像を取得するまでの間に長い時間を要する。
以上は、地上機器が新設された場合に限らず、電柱、地上機器等の電力設備を移設する場合など、電力設備を設置する場合に当てはまる。
本発明は、前述した点に鑑みてなされたものであり、その目的は、依頼者から地上機器を設置した後のイメージ画像を要求されてから、依頼者がそのイメージ画像を取得するまでの時間を短縮できる電力設備設置イメージ表示装置、電力設備設置イメージ表示方法および電力設備設置イメージ表示プログラムを提供することである。
【課題を解決するための手段】
【０００６】
本発明の一態様は、表示部と、地上機器の設置位置を示す情報である設置位置情報を取得する情報取得部と、前記表示部に表示する前記地上機器のサイズを導出する導出部と、前記設置位置情報と、前記地上機器の前記サイズとに基づいて、前記表示部に、前記地上機器を合成して表示する合成部とを備える、電力設備設置イメージ表示装置である。
本発明の一態様の電力設備設置イメージ表示装置において、前記導出部は、前記電力設備設置イメージ表示装置の動きに基づいて、前記地上機器の前記サイズを導出する。
本発明の一態様の電力設備設置イメージ表示装置において、前記地上機器の種類を示す情報を取得する電力設備情報取得部を備え、前記情報取得部は、前記電力設備設置イメージ表示装置の動きに基づいて、前記電力設備設置イメージ表示装置に生じる加速度を示す情報と、角速度を示す情報とを取得し、前記導出部は、前記地上機器の種類を示す情報と、前記加速度を示す情報と、前記角速度を示す情報とに基づいて、前記表示部に表示する前記地上機器の前記サイズを導出する。
本発明の一態様の電力設備設置イメージ表示装置において、地上機器の設置位置に設置されたマーカを検出する検出部を備え、前記導出部は、前記検出部が検出した前記マーカに基づいて、前記設置位置情報を導出し、前記マーカに基づいて、設置する前記地上機器のサイズを導出する。
本発明の一態様の電力設備設置イメージ表示装置において、前記検出部が検出した前記マーカに表されている正面指定図形の向きを判定する判定部を備え、前記導出部は、前記判定部が判定した前記マーカの画像に表されている前記正面指定図形の向きに基づいて、前記表示部に表示する前記地上機器の向きを導出し、前記合成部は、前記導出部が導出した前記地上機器の向きにさらに基づいて、前記表示部に、前記地上機器を合成して表示する。
本発明の一態様の電力設備設置イメージ表示装置において、前記表示部に表示された前記地上機器の状態を変更する情報である状態変更情報を取得する状態変更部を備え、前記合成部は、前記状態変更部が取得した前記状態変更情報に基づいて、前記表示部に表示されている前記地上機器の状態を変更する。
本発明の一態様の電力設備設置イメージ表示装置において、前記状態変更情報には、前記地上機器の扉を開閉することを示す情報が含まれ、前記合成部は、前記地上機器の前記扉を開閉することを示す情報に基づいて、前記表示部に表示されている前記地上機器の状態を変更する。
本発明の一態様の電力設備設置イメージ表示装置において、前記状態変更情報には、前記地上機器の傾きを調整することを示す情報が含まれ、前記合成部は、前記地上機器の前記傾きを調整することを示す情報に基づいて、前記表示部に表示されている前記地上機器の状態を変更する。
本発明の一態様は、地上機器の設置位置を示す情報である設置位置情報を取得するステップと、表示部に表示する前記地上機器のサイズを導出するステップと、前記設置位置情報と、前記地上機器の前記サイズとに基づいて、前記表示部に、前記地上機器を合成して表示するステップとを有する電力設備設置イメージ表示方法である。
本発明の一態様は、コンピュータに、地上機器の設置位置を示す情報である設置位置情報を取得するステップと、表示部に表示する前記地上機器のサイズを導出するステップと、前記設置位置情報と、前記地上機器の前記サイズとに基づいて、前記表示部に、前記地上機器を合成して表示するステップとを実行させる、電力設備設置イメージ表示プログラムである。
【発明の効果】
【０００７】
本発明の実施形態によれば、依頼者から地上機器を移設した後のイメージ画像を要求されてから、依頼者がそのイメージ画像を取得するまでの時間を短縮できる。
【図面の簡単な説明】
【０００８】
【図１】第１の実施形態の電力設備設置イメージ表示装置の一例を示す図である。
【図２】第１の実施形態の電力設備用マーカの一例を示す図である。
【図３】第１の実施形態の電力設備設置イメージ表示装置の一例を示すブロック図である。
【図４】メニューアイコンの一例を示す図である。
【図５】電柱の切替えのメニューバーの一例を示す図である。
【図６】支線切替えのメニューバーの一例を示す図である。
【図７】表示切替えのメニューバーの一例を示す図である。
【図８】メニューアイコンの一例を示す図である。
【図９】第１の実施形態の電力設備設置イメージ表示装置の動作の一例を示す図である。
【図１０】第１の実施形態の電力設備設置イメージ表示装置の動作の一例を示すフローチャートである。
【図１１】第２の実施形態の電力設備設置イメージ表示装置の一例を示す図である。
【図１２】第２の実施形態の電力設備設置イメージ表示装置の一例を示すブロック図である。
【図１３】第２の実施形態の電力設備設置イメージ表示装置の導出部の処理の一例を示す図である。
【図１４】第２の実施形態の電力設備設置イメージ表示装置の動作の一例（その１）を示す図である。
【図１５】第２の実施形態の電力設備設置イメージ表示装置の動作の一例（その２）を示す図である。
【図１６】第２の実施形態の電力設備設置イメージ表示装置の動作の一例（その３）を示す図である。
【図１７】第２の実施形態の電力設備設置イメージ表示装置の動作の一例（その４）を示す図である。
【図１８】第２の実施形態の電力設備設置イメージ表示装置の動作の一例（その５）を示す図である。
【図１９】第２の実施形態の電力設備設置イメージ表示装置の動作の一例（その６）を示す図である。
【図２０】第２の実施形態の電力設備設置イメージ表示装置の動作の一例（その７）を示す図である。
【図２１】第２の実施形態の電力設備設置イメージ表示装置の動作の一例を示すフローチャートである。
【発明を実施するための形態】
【０００９】
次に、本実施形態の電力設備設置イメージ表示装置、電力設備設置イメージ表示方法および電力設備設置イメージ表示プログラムを、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
また、本願でいう「ＸＸに基づいて」とは、「少なくともＸＸに基づく」ことを意味し、ＸＸに加えて別の要素に基づく場合も含む。また、「ＸＸに基づいて」とは、ＸＸを直接に用いる場合に限定されず、ＸＸに対して演算や加工が行われたものに基づく場合も含む。「ＸＸ」は、任意の要素（例えば、任意の情報）である。
【００１０】
（第１の実施形態）
（電力設備設置イメージ表示装置）
図１は、第１の実施形態の電力設備設置イメージ表示装置の一例を示す図である。図１の左図は、電力設備設置イメージ表示装置１００に、電柱２００および支線３００を移設する前の画像が表示されている様子を示す。図１の真ん中の図は、電柱２００および支線３００を移設する前の画像に、その電柱２００を移設した後のイメージ画像が表示されている様子を示す。つまり、電柱２００および支線３００を移設する前の画像に、移設した電柱のイメージ画像２４０が表示される。電力設備設置イメージ表示装置１００は、電柱２００および支線３００を移設する前の画像に、移設した支線のイメージ画像を表示することもできる。以下、電力設備設置イメージ表示装置１００は、電柱２００および支線３００を移設する前の画像に、移設した電柱のイメージ画像２４０を表示する場合について説明を続ける。図１の右図は、電柱２００および支線３００を移設する前の画像に、地上機器を新設した後のイメージ画像が表示されている様子を示す。つまり、電柱２００および支線３００を移設する前の画像に、新設した地上機器のイメージ画像２５０が表示される。ここで、電柱と、支線と、地上機器とは、電力設備の一例である。
地上機器は、多回路開閉器と、地上用変圧器とに分類される。多回路開閉器は、高圧配線の分岐設備であり、かつ保守作業時の切り替えのための設備である。多回路開閉器は、開閉器塔に格納される。開閉器塔の正面は、開閉部を有する。例えば、開閉部は両開きである。開閉部を開状態にすることによって、多回路開閉器の保守と点検とが可能である。
地上用変圧器は、高圧の電気を一般家庭用の低圧の電気に降圧させる設備である。地上用変圧器は、変圧器塔に設置される。地上用変圧器は、変圧器塔に格納される。変圧器塔の正面は、開閉部を有する。例えば、開閉部は両開きである。開閉部を開状態にすることによって、地上用変圧器の保守と点検とが可能である。開閉器塔のサイズと、変圧器塔のサイズとは規定されている。電力設備設置イメージ表示装置１００は、地上機器を新設した後のイメージ画像を表示する場合、開閉器塔を新設した後のイメージ画像と、変圧器塔を新設した後のイメージ画像とのいずれか一方又は両方を表示する。開閉器塔を新設した後のイメージ画像を表示するか、変圧器塔を新設した後のイメージ画像を表示するかは、ユーザが、電力設備設置イメージ表示装置１００に対して設定可能である。
電柱２００および支線３００を移設する前の画像から、電柱２００および支線３００を移設する前の画像に加え、その電柱２００を移設した後のイメージ画像を表示する場合（図１の左図から、図１の真ん中の図）について説明する。
電力設備設置イメージ表示装置１００は、拡張現実(Augmented Reality: AR)技術を使用して、電柱２００を移設した後のイメージ画像を表示する。例えば、電柱２００を移設する依頼を受け、移設する電柱２００が設置された現地で依頼者と立ち会った際に、電力設備設置イメージ表示装置１００は、電柱２００を移設した後のイメージ画像を、その現場で、依頼者へ提示する。本実施形態では、一例として、マーカ型ビジョンベース方式の拡張現実技術が用いられる。マーカ型ビジョンベース方式の拡張現実技術とは、画像認識技術、空間認識技術などを応用して、予め登録された図形を認識することによって、情報提示を行うことをいう。
電力設備設置イメージ表示装置１００に、電柱２００を移設した後のイメージ画像を表示するには、スマートフォンなどの端末装置に、電力設備設置イメージ表示アプリをインストールする。そして、電柱２００を移設する位置に電力設備用マーカ２３０を置く。
【００１１】
図１の左図によれば、移設対象である電柱２００を移設させたい位置へ電力設備用マーカ２３０が置かれる。ここで、電力設備用マーカ２３０が置かれる位置は、電柱を移設する位置の根元部分である。
ユーザは、電力設備設置イメージ表示装置１００を操作することによって、電力設備設置イメージ表示装置１００に、電柱２００を移設する前の画像に、電柱２００を移設した後のイメージ画像を表示させる。
図１の真ん中の図によれば、電力設備用マーカ２３０が置かれた位置に電柱のイメージ画像２４０が表示される。電力設備用マーカ２３０が置かれた位置から上方向に伸びる電柱のイメージ画像２４０が表示される。さらに、図１の真ん中の図には、メニューアイコン１１０などが示されているが、これらについては、後述する。
【００１２】
次に、電柱２００および支線３００を移設する前の画像に、その電柱２００を移設した後のイメージ画像を加えた画像から、電柱２００および支線３００を移設する前の画像に加え、地上機器を新設した後のイメージ画像を表示する場合（図１の真ん中の図から、図１の右図）について説明する。
電力設備設置イメージ表示装置１００は、拡張現実技術を使用して、地上機器を新設した後のイメージ画像を提示する。例えば、地上機器を新設する依頼を受け、地上機器を新設する現地で依頼者と立ち会った際に、電力設備設置イメージ表示装置１００は、地上機器を新設した後のイメージ画像を、その現場で、依頼者へ提示する。本実施形態では、一例として、マーカ型ビジョンベース方式の拡張現実技術が用いられる。
電力設備設置イメージ表示装置１００に、地上機器を新設した後のイメージ画像を表示するには、スマートフォンなどの端末装置に、電力設備設置イメージ表示アプリをインストールする。そして、地上機器を新設する位置に電力設備用マーカ２３０を置く。電力設備設置イメージ表示装置１００は、電力設備用マーカ２３０が置かれた位置に電柱のイメージ画像２４０と、メニューアイコン１１０などとを表示する。この状態で、電力設備設置イメージ表示装置１００に、所定の操作が行われることで、電柱のイメージ画像２４０が、地上機器のイメージ画像２５０に切り替わる。
【００１３】
図１の右図によれば、新設対象である地上機器を新設させたい位置へ電力設備用マーカ２３０が置かれている。ここで、電力設備用マーカ２３０が置かれている位置は、地上機器を新設する位置の根元部分である。さらに、電力設備用マーカ２３０は、その電力設備用マーカ２３０に表されている所定の模様が、表示させたい地上機器の正面と一致するように置かれる。所定の模様については、後述する。
ユーザは、電力設備設置イメージ表示装置１００を操作することによって、電力設備設置イメージ表示装置１００に、電柱２００および支線３００を移設する前の画像に、地上機器を新設した後のイメージ画像２５０を表示させる。
図１の右図によれば、電力設備用マーカ２３０が置かれた位置に地上機器のイメージ画像２５０が表示される。電力設備用マーカ２３０が置かれた位置から左右方向と上方向とに伸びる地上機器のイメージ画像２５０が表示される。表示されている地上機器のイメージ画像２５０の正面は、電力設備用マーカ２３０に表されている所定の模様と一致している。さらに、図１の右図には、メニューアイコンなどが示されているが、これらについては、後述する。
次に、電力設備用マーカ２３０について説明する。
【００１４】
（電力設備用マーカ）
図２は、第１の実施形態の電力設備用マーカの一例を示す図である。図２の（ａ）は、電力設備用マーカ２３０の立面図を示す。
電力設備用マーカ２３０は、角柱状、円柱状、錐体（円錐台、角錐台）状などの立体の形状を有する。円柱状や、円錐台状の形状を有することによって、電力設備用マーカ２３０に描かれた図形を、３６０度の全方向から検出できる。このため、電力設備設置イメージ表示装置１００が、電力設備用マーカ２３０に描かれた図形を、遠方から検出し易くできる。また、仮に、電力設備用マーカをカード状にした場合には電力設備用マーカ２３０に描かれた図形を、電力設備設置イメージ表示装置１００の方向に向ける必要があるが、電力設備用マーカを立体形状にした場合にはこのようなことをする必要がないため、電力設備用マーカ２３０を置く自由度を向上させることができる。以下、一例として、電力設備用マーカ２３０が円柱状である場合について、説明を続ける。
電力設備用マーカ２３０の高さＨ１は、２０ｃｍ以上且つ４０ｃｍ以下の範囲で適宜設定すればよく、典型的には２５ｃｍ以上かつ３５ｃｍ以下とすればよい。
電力設備用マーカ２３０の上面と下面の直径Ｄ１（幅）は、１５ｃｍ以上且つ４０ｃｍ以下の範囲で適宜設定すればよく、典型的には２０ｃｍ以上かつ３０ｃｍ以下とすればよい。
【００１５】
電力設備用マーカ２３０の側面２３５には、ＡＲマーカ２３４が描かれている。ＡＲマーカ２３４には、電力設備用であることを指定する図形（以下、「電力設備用指定図形２３２」という）が含まれる。電力設備用指定図形２３２は、適宜変更可能である。電力設備用指定図形２３２は、電力設備設置イメージ表示装置１００による認識精度が所定の閾値以上となるものが選択される。図２に示される例では、多種多様で、角の多い、明暗のはっきりした図形が選択され、選択された図形が描かれている。図２に示される例では、明暗をはっきりさせるために、電力設備用指定図形２３２が黒で、背景が白の二色で示されている。電力設備用指定図形２３２には、地上機器のイメージ画像を表示する際に、地上機器の正面方向を指定するための図形である正面指定図形Ｆが含まれる。正面指定図形Ｆは、適宜変更可能である。
また、ＡＲマーカ２３４には、側面２３５において、円周に沿って、一又は複数のライン（線）が描かれている。図２に示される例では、ＡＲマーカ２３４には、電力設備用指定図形２３２の上下に平行に、ライン（線）が描かれている。以下、側面２３５において、円周に沿って描かれた線のうち、上側の線を上ライン２３１、下側の線を下ライン２３３という。上ライン２３１および下ライン２３３は、電力設備設置イメージ表示装置１００が、その上ライン２３１と下ライン２３３との間に描かれている電力設備用指定図形２３２の検出精度を向上させるために使用される。電力設備用指定図形２３２の上下に、上ライン２３１と下ライン２３３とが描かれることによって、上ライン２３１と下ライン２３３とが描かれない場合よりも、電力設備設置イメージ表示装置１００が、電力設備用指定図形２３２を検出する精度を向上させることができる。
【００１６】
電力設備用マーカ２３０の側面２３５は、反射率が所定の閾値以下である材質によって構成される。ここで、閾値は、電力設備設置イメージ表示装置１００による電力設備用指定図形２３２の認識精度が所定の閾値以上となるように予め設定されている。太陽光の反射を抑える観点からは、反射率が低い方が好ましい。具体的には、電力設備用マーカ２３０の側面２３５は、つや消しラミネートフィルムによって構成される。このように構成することによって、電力設備用マーカ２３０の側面２３５が太陽光によって反射するのを低減できるため、電力設備設置イメージ表示装置１００が、ＡＲマーカ２３４を誤認識することを低減できる。さらに、雨が降った場合でも、電力設備用マーカ２３０の側面２３５に描かれたＡＲマーカ２３４が消えることがないため、雨天の場合でも使用できる。
また、ＡＲマーカ２３４は、白色光（太陽光）の補色で、電力設備用マーカ２３０の側面２３５に描かれる。このように、ＡＲマーカ２３４を、太陽光の補色と、背景の白色との二色で構成することによって、太陽が出ている屋外で、ＡＲマーカ２３４の視認性を向上させることができる。このため、電力設備設置イメージ表示装置１００が、ＡＲマーカ２３４を誤認識することを低減できる。
【００１７】
図２（ｂ）は、電力設備用マーカ２３０の展開図の一例を示す。電力設備用マーカ２３０は、側面２３５と、上面部分２３６と、下面部分２３７とに展開できる。上面部分２３６は、必ずしもなくてもよい。以下、一例として、上面部分２３６がある場合について説明を続ける。
側面２３５の長手方向の両端部分が接続され、上面部分２３６の「Ａ」で示される部分が側面２３５の「Ａ」で示される部分に取り付けられ、下面部分２３７の「Ｂ」で示される部分が側面２３５の「Ｂ」の部分に取り付けられることによって、電力設備用マーカ２３０が作成される。このように構成することによって、電力設備用マーカ２３０を、折り畳み可能にできる。電力設備用マーカ２３０を、折り畳み可能にできることによって、移設する電柱がある現地や、地上機器を新設する現地への持ち運びを容易にできる。
さらに、下面部分２３７には、重り２３８を取り付けることができるようにしてもよい。重り２３８を取り付けることができるように構成することによって、電力設備用マーカ２３０を、電柱を移設する位置や、地上機器を新設する位置に置いた場合に、風が吹いたとしても飛ばないようにできる。
【００１８】
（電力設備設置イメージ表示装置）
図３は、第１の実施形態の電力設備設置イメージ表示装置の一例を示すブロック図である。電力設備設置イメージ表示装置１００の一例は、電力設備設置イメージ表示アプリをインストールしたスマートフォン、タブレット端末などの端末装置である。
電力設備設置イメージ表示装置１００は、例えば、通信部１０２と、記憶部１２０と、情報処理部１３０と、表示部１４０と、操作部１５０と、撮像部１６０と、ＧＮＳＳ受信部１７０とを備える。
通信部１０２は、通信モジュールによって実現される。通信部１０２は、ネットワークを経由して、他の端末装置と通信を行う。例えば、電柱を移設した後のイメージ画像を、依頼者の端末装置へ送信する。また、例えば、地上機器を新設した後のイメージ画像を、依頼者の端末装置へ送信する。
【００１９】
記憶部１２０は、例えば、ＲＡＭ（Random Access Memory）、ＲＯＭ（Read Only Memory）、ＨＤＤ（Hard Disk Drive）、フラッシュメモリ、またはこれらのうち複数が組み合わされたハイブリッド型記憶装置などにより実現される。記憶部１２０の一部または全部は、電力設備設置イメージ表示装置１００の一部として設けられる場合に代えて、ＮＡＳ（Network Attached Storage）や外部のストレージサーバなど、電力設備設置イメージ表示装置１００のプロセッサがネットワークを介してアクセス可能な外部装置により実現されてもよい。記憶部１２０には、情報処理部１３０により実行されるプログラム１２２と、電力設備設置イメージ表示アプリなどのアプリ１２４とが記憶される。
プログラム１２２は、例えば、オペレーティングシステムであり、ユーザやアプリケーションプログラムとハードウェアの中間に位置し、ユーザやアプリケーションプログラムに対して標準的なインターフェースを提供すると同時に、ハードウェアなどの各リソースに対して効率的な管理を行う。
アプリ１２４は、電力設備設置イメージ表示装置１００に、電力設備の設置位置に設置されたＡＲマーカ２３４を検出させる。アプリ１２４は、電力設備設置イメージ表示装置１００に、電力設備の設置位置を示す情報を取得させる。アプリ１２４は、電力設備設置イメージ表示装置１００に、設置する電力設備の種類を示す情報を取得させる。アプリ１２４は、電力設備設置イメージ表示装置１００に、表示部１４０が表示している電柱に基づいて、設置する電力設備のサイズを導出させる。アプリ１２４は、電力設備設置イメージ表示装置１００に、設置位置を示す情報と、電力設備のサイズとに基づいて、表示部１４０に、設置する電力設備を合成して表示させる。
また、記憶部１２０は、電力設備用指定図形２３２を記憶する。また、記憶部１２０は、電力設備用マーカ２３０の高さ、電力設備用マーカ２３０の上面と下面との直径などの電力設備用マーカ２３０のサイズを記憶する。
【００２０】
操作部１５０は、例えば、タッチパネルによって構成され、表示部１４０に表示されるメニューアイコンなどに対するタッチ操作を検出し、タッチ操作の検出結果を、情報処理部１３０へ出力する。タッチ操作には、電柱の移設イメージを表示する処理を開始する操作、電柱の移設イメージを地上機器のイメージに切り替える（変更する）操作などが含まれる。メニューアイコンの詳細については後述する。
ＧＮＳＳ受信部１７０は、全球測位衛星システム(GNSS (Global Navigation Satellite System)などによって実現される。ＧＮＳＳ受信部１７０は、情報処理部１３０からの測位命令に応じて、ＧＰＳ、ＧＬＯＮＡＳＳ、Ｇａｌｉｌｅｏ、準天頂衛星（ＱＺＳＳ）などの航法衛星によって送信された航法信号を受信し、該航法信号を復調する。そして、ＧＮＳＳ受信部１７０は、復調した航法信号に基づいて、所定の測位演算を行うことによって電力設備設置イメージ表示装置１００の測位を行うことによって位置情報を得る。ＧＮＳＳ受信部１７０は、位置情報を、情報処理部１３０へ出力する。
【００２１】
情報処理部１３０の全部または一部は、例えば、ＣＰＵのようなプロセッサが記憶部１２０に記憶されたプログラム１２２や、アプリ１２４を実行することにより実現される機能部（以下、ソフトウェア機能部と称する）である。
なお、情報処理部１３０の全部または一部は、ＬＳＩ（Large Scale Integration）、ＡＳＩＣ（Application Specific Integrated Circuit）、またはＦＰＧＡ（Field-Programmable Gate Array）などのハードウェアにより実現されてもよく、ソフトウェア機能部とハードウェアとの組み合わせによって実現されてもよい。
情報処理部１３０は、例えば、検出部１３２と、判定部１３３と、電力設備情報取得部１３４と、状態変更部１３５と、導出部１３６と、位置情報取得部１３７と、合成部１３８とを備える。
【００２２】
検出部１３２は、ユーザが操作部１５０へ、電柱の移設イメージを表示する処理を開始する操作を行った場合に、撮像部１６０を起動し、起動した撮像部１６０が撮像する画像から、記憶部１２０に記憶されている電力設備用指定図形２３２と同様の図形を検出する。検出部１３２は、検出した電力設備用指定図形２３２と同様の図形を示す画像情報を、判定部１３３と、電力設備情報取得部１３４と、導出部１３６とへ出力する。
判定部１３３は、検出部１３２が出力した画像情報を取得する。判定部１３３は、取得した画像情報に基づいて、画像を認識し、記憶部１２０に記憶されている電力設備用指定図形２３２に基づいて、取得した画像が、電力設備用指定図形２３２であるかを判定する。判定部１３３は、電力設備用指定図形２３２であると判定した場合、電力設備情報取得部１３４と、導出部１３６とへ、電力設備用指定図形２３２が認識されたことを示す情報を出力する。
【００２３】
電力設備情報取得部１３４は、判定部１３３が出力した電力設備用指定図形２３２が認識されたことを示す情報を取得した場合、ユーザが操作部１５０を操作することによって出力される電力設備（ここでは、電柱）の種類を示す情報を取得する。ここで、電柱の種類を示す情報には、電柱のサイズを示す情報が含まれる。本実施例では、電柱のサイズを示す情報の一例として、電柱の長さと直径の長さとを示す情報を適用する場合について説明を続ける。電力設備情報取得部１３４は、取得した電柱の長さと直径の長さとを示す情報を、導出部１３６へ出力する。
電力設備情報取得部１３４は、ユーザが操作部１５０へ、地上機器を新設した後のイメージ画像へ切り替える操作を行った場合、ユーザが操作部１５０を操作することによって出力される地上機器の種類を示す情報を取得する。ここで、地上機器の種類を示す情報には、地上機器のサイズを示す情報が含まれる。本実施形態では、地上機器のサイズを示す情報の一例として、地上機器の幅と、高さと、奥行きとの各々の長さを示す情報を適用する場合について説明を続ける。また、電力設備情報取得部１３４は、検出部１３２が出力した電力設備用指定図形２３２を示す画像情報に基づいて、正面指定図形Ｆの方向を取得する。電力設備情報取得部１３４は、取得した地上機器の幅と、高さと、奥行きとの各々の長さを示す情報と、正面指定図形Ｆの方向を示す情報とを、導出部１３６へ出力する。
【００２４】
導出部１３６は、判定部１３３が出力した電力設備用指定図形２３２が認識されたことを示す情報を取得した場合、以下の処理を行う。導出部１３６は、表示部１４０に表示されている電力設備用マーカ２３０の位置ｐ１と高さｈ１と上面の直径ｄ１とを導出する。そして、導出部１３６は、表示部１４０に表示されている電力設備用マーカ２３０の高さｈ１と上面の直径ｄ１と、記憶部１２０に記憶されている電力設備用マーカ２３０の高さＨ１と上面の直径Ｄ１とに基づいて、表示部１４０に表示する電柱のイメージ画像の長さ、直径などを導出する。
具体的には、導出部１３６は、表示部１４０に表示されている電力設備用マーカ２３０の高さｈ１と、記憶部１２０に記憶されている電力設備用マーカ２３０の高さＨ１との比を求める。そして、導出部１３６は、電力設備情報取得部１３４が出力した電柱の長さを示す情報に基づいて、その電柱の長さに（ｈ１／Ｈ１）を乗算することによって、表示部１４０に表示する電柱の長さを求める。電柱の長さに応じて、地上部分の長さと、埋設部分の長さとは予め規定されている。導出部１３６は、表示部１４０に表示する地上部分の電柱の長さと、埋設部分の電柱の長さとを求める。また、導出部１３６は、表示されている電力設備用マーカ２３０の直径ｄ１と、記憶部１２０に記憶されている電力設備用マーカ２３０の直径Ｄ１との比を求める。そして、導出部１３６は、電力設備情報取得部１３４が出力した電柱の直径を示す情報に基づいて、その電柱の直径に（ｄ１／Ｄ１）を乗算することによって、表示部１４０に表示する電柱の直径の長さを求める。導出部１３６は、導出した地上部分の電柱の長さを示す情報と、埋設部分の電柱の長さを示す情報と、電柱の直径を示す情報とを、合成部１３８へ出力する。
【００２５】
さらに、導出部１３６は、電力設備情報取得部１３４が出力した地上機器の幅と、高さと、奥行きとの各々の長さを示す情報と、正面指定図形Ｆの方向を示す情報とを取得した場合、以下の処理を行う。導出部１３６は、表示部１４０に表示されている電力設備用マーカ２３０の高さｈ１と上面の直径ｄ１と、記憶部１２０に記憶されている電力設備用マーカ２３０の高さＨ１と上面の直径Ｄ１とに基づいて、表示部１４０に表示する地上機器のイメージ画像の幅と、高さと、奥行きとの各々の長さを導出する。
具体的には、導出部１３６は、表示部１４０に表示されている電力設備用マーカ２３０の高さｈ１と、記憶部１２０に記憶されている電力設備用マーカ２３０の高さＨ１との比を求める。そして、導出部１３６は、電力設備情報取得部１３４が出力した地上機器の幅と、高さと、奥行きとの各々の長さを示す情報に基づいて、その地上機器の幅と、高さと、奥行きとの各々の長さに（ｈ１／Ｈ１）を乗算することによって、表示部１４０に表示する地上機器の幅と、高さと、奥行きとの各々の長さを求める。導出部１３６は、導出した地上機器の幅と、高さと、奥行きとの各々の長さを示す情報と、正面指定図形Ｆの方向を示す情報とを、合成部１３８へ出力する。
【００２６】
位置情報取得部１３７は、操作部１５０が出力したシャッタが押されたことを示す情報を取得し、取得したシャッタが押されたことを示す情報に基づいて、ＧＮＳＳ受信部１７０へ、測位命令を出力する。位置情報取得部１３７は、ＧＮＳＳ受信部１７０が出力した電力設備設置イメージ表示装置１００の位置情報（経度情報、緯度情報）を取得し、取得した位置情報（経度情報、緯度情報）に基づいて、住所情報を取得する。具体的には、位置情報取得部１３７は、通信部１０２から、インターネットなどのネットワーク（図示なし）に接続されたサーバ（図示なし）へアクセスする。ここで、サーバは、位置情報（経度情報、緯度情報）から、その位置情報（経度情報、緯度情報）に対応する住所情報を取得する。位置情報取得部１３７は、通信部１０２から、位置情報（経度情報、緯度情報）を、サーバへ送信し、そのサーバは送信したその位置情報（経度情報、緯度情報）に対応する住所情報を、通信部１０２から取得する。位置情報取得部１３７は、取得した住所情報を、合成部１３８へ出力する。
【００２７】
合成部１３８は、導出部１３６が出力した地上部分の電柱の長さを示す情報と、埋設部分の電柱の長さを示す情報と、電柱の直径を示す情報とを取得した場合、電柱２００および支線３００を移設する前の画像に、電力設備用マーカ２３０が置かれた地表の位置を起点として、電柱の直径を示す情報に該当する直径で、地上部分の電柱の長さを示す情報に該当する高さの電柱のイメージ画像を合成する。さらに、合成部１３８は、位置情報取得部１３７が出力した住所情報を取得した場合、電柱２００および支線３００を移設する前の画像に、電柱のイメージ画像を合成するとともに、住所情報を合成する。合成部１３８は、合成することによって得られた画像を、表示部１４０へ出力する。
また、合成部１３８は、導出部１３６が出力した地上機器の幅と、高さと、奥行きとの各々の長さを示す情報と、正面指定図形Ｆの方向を示す情報とを取得した場合、電柱２００および支線３００を移設する前の画像に、電力設備用マーカ２３０が置かれた地表の位置を、地上機器の中心として、地上機器の幅と、高さと、奥行きとの各々の長さを示す情報に該当し、かつ正面指定図形Ｆの方向を示す情報に該当する方向を正面とする地上機器のイメージ画像２５０を合成する。さらに、合成部１３８は、位置情報取得部１３７が出力した住所情報を取得した場合、電柱２００および支線３００を移設する前の画像に、地上機器のイメージ画像２５０を合成するとともに、住所情報を合成する。合成部１３８は、合成することによって得られた画像を、表示部１４０へ出力する。
また、合成部１３８は、後述する状態変更部１３５が出力した状態を変更する情報（以下「状態変更情報」という）を取得した場合、取得した状態変更情報に基づいて、表示している地上機器のイメージ画像２５０の状態を変更する。
状態変更部１３５は、ユーザが操作部１５０へ、地上機器を新設した後のイメージ画像の状態を変更する操作を行った場合、ユーザが操作部１５０を操作することによって出力される状態変更情報を取得する。状態変更部１３５は、取得した状態変更情報を、合成部１３８へ出力する。
【００２８】
表示部１４０は、例えば液晶ディスプレイ、有機ＥＬ(Electroluminescence)ディスプレイによって実現され、ＣＰＵの制御に応じて各種情報を表示する。表示部１４０は、合成部１３８が出力した画像を表示する。
撮像部１６０は、ＣＣＤ(Charge Coupled Devices)カメラやＣＭＯＳ(Complementary Metal Oxide Semiconductor)カメラなどによって構成され、電力設備設置イメージ表示装置１００の筐体に固定される。撮像部１６０は、直接若しくはハーフミラーなどを用いて、撮像することによって得られる画像データを情報処理部１３０へ出力する。
【００２９】
（メニューアイコン）
メニューアイコンの詳細について説明する。
図４は、メニューアイコンの一例を示す図である。図４には、電柱のイメージ画像２４０が表示された場合に表示されるメニューアイコンの一例が示される。メニューアイコンの一例は、表示部１４０の表示画面の上側に表示されている。さらに、図４には、表示部１４０の下側にシャッタボタン１１５が表示されている。
図４に示される例では、メニューアイコンは、メニューアイコン１１０と、電柱切替えボタン１１１と、支線切替えボタン１１２と、表示切替えボタン１１３と、保存ホルダ起動ボタン１１４と、対象切替ボタン２１０とを含む。
メニューアイコン１１０が押されることによって、合成部１３８は、メニューバーの切替えを行う。
電柱切替えボタン１１１が押されることによって、合成部１３８は、表示する電柱の長尺の切替えを行う。
【００３０】
図５は、電柱の切替えのメニューバーの一例を示す図である。図５の上側はメニューバーを示し、図５の下側は電柱サイズの選択ボタンを示す。
ユーザが電柱切替えボタン１１１を押すことによって、合成部１３８によって、電柱サイズの選択ボタンが表示される。電柱サイズの選択ボタンには、電柱の高さが表示された複数のボタンが含まれる。図５に示される例では、「６．９」が表示された６．９メートルの電柱の電柱選択ボタン１１１ａと、「１０」が表示された１０メートルの電柱の電柱選択ボタン１１１ｂと、「１２」が表示された１２メートルの電柱の電柱選択ボタン１１１ｃと、「１４」が表示された１４メートルの電柱の電柱選択ボタン１１１ｄと、「１５」が表示された１５メートルの電柱の電柱選択ボタン１１１ｅと、「１６」が表示された１６メートルの電柱の電柱選択ボタン１１１ｆとが含まれる。図５に示される例では、電柱選択ボタン１１１ｄが押されることによって、電柱選択ボタン１１１ａ−１１１ｃ、１１１ｅ−１１１ｆとは異なる表示となっている場合を示している。
【００３１】
支線切替えボタン１１２が押されることによって、表示方法が切替えられる。
図６は、支線切替えのメニューバーの一例を示す図である。図６の上側はメニューバーを示し、図６の下側は支線の選択ボタンを示す。
ユーザが支線切替えボタン１１２を押すことによって、支線切替えボタン１１２が押されたことが分かるように表示が変わり、支線の選択ボタンが表示される。支線の選択ボタンには、支線の種類を示す複数のボタンが含まれる。図６に示される例では、「地支線」を示す支線選択ボタン１１２ａと、「弓支線」を示す支線選択ボタン１１２ｂとが含まれる。  表示切替えボタン１１３が押されることによって、合成部１３８は、表示方法を切り替える。
図７は、表示切替えのメニューバーの一例を示す図である。図７の上側はメニューバーを示し、図７の下側は表示方法の選択ボタンを示す。
ユーザが表示切替えボタン１１３を押すことによって、合成部１３８は、表示切替えボタン１１３が押されたことが分かるように表示を変化させ、表示方法の選択ボタンを表示する。表示方法の選択ボタンには、表示方法を示す複数のボタンが含まれる。図７に示される例では、「地上高」を表示する地上高表示選択ボタン１１３ａと、「根入れ部分」を表示する根入れ部分表示選択ボタン１１３ｂと、「電柱」を非表示にする電柱非表示選択ボタン１１３ｃとが含まれる。
【００３２】
地上高表示選択ボタン１１３ａが押されることによって、合成部１３８は、移設した後の電柱のイメージ画像に、地上高を合成して表示する。
根入れ部分表示選択ボタン１１３ｂが押されることによって、合成部１３８は、移設した後の電柱の埋設部分を含むイメージ画像を表示する。このように構成することによって、どの程度、電柱が地中に埋まっているのかを説明するのに利用できる。電柱非表示選択ボタン１１３ｃが押されることによって、合成部１３８は、移設した後の電柱のイメージを非表示にする。このように構成することによって、地支線を移設する際に利用できる。
保存ホルダ起動ボタン１１４が押されることによって、情報処理部１３０は、イメージを保存している保存ホルダを起動する。このように構成することによって、今まで保存したイメージの閲覧及びＰＣへの保存などを行うことができる。
【００３３】
対象切替ボタン２１０が押されることによって、電力設備情報取得部１３４は、ユーザが操作部１５０を操作することによって出力される地上機器の種類を示す情報を取得し、取得した地上機器の幅と、高さと、奥行きとの各々の長さの種類を示す情報と、正面指定図形Ｆの方向を示す情報とを、導出部１３６へ出力する。導出部１３６は、電力設備情報取得部１３４が出力した地上機器の幅と、高さと、奥行きとの各々の長さの種類を示す情報と、正面指定図形Ｆの方向を示す情報とを取得した場合、表示部１４０に表示されている電力設備用マーカ２３０の高さｈ１と上面の直径ｄ１と、記憶部１２０に記憶されている電力設備用マーカ２３０の高さＨ１と上面の直径Ｄ１とに基づいて、表示部１４０に表示する地上機器のイメージ画像の幅と、高さと、奥行きとの各々の長さを導出する。導出部１３６は、導出した地上機器の幅と、高さと、奥行きとの各々の長さを示す情報と、正面指定図形Ｆの方向を示す情報とを、合成部１３８へ出力する。
【００３４】
シャッタボタン１１５が押されることによって、位置情報取得部１３７は、ＧＮＳＳ受信部１７０が出力した電力設備設置イメージ表示装置１００の位置情報（経度情報、緯度情報）を取得し、取得した位置情報（経度情報、緯度情報）に基づいて、住所情報を取得する。合成部１３８は、電柱２００および支線３００を移設する前の画像に、電柱のイメージ画像、又は地上機器のイメージ画像を合成する。合成部１３８は、電柱のイメージ画像、又は地上機器のイメージ画像を合成した画像に、位置情報取得部１３７が出力した住所情報を合成する。表示部１４０は、電柱のイメージ画像、又は地上機器のイメージ画像を合成した画像に、住所情報を合成した画像を表示する。撮像部１６０は、表示部１４０に表示されている画像を撮像する。撮像部１６０は、撮像した画像の画像情報を保存フォルダへ記憶する。
【００３５】
図８は、メニューアイコンの一例を示す図である。図８には、地上機器のイメージ画像２５０が表示された場合に表示されるメニューアイコンの一例が示される。メニューアイコンの一例は、表示部１４０の表示画面の上側に表示されている。また、図８には、表示部１４０の下側にシャッタボタン１１５が表示されている。
図８に示される例では、メニューアイコンは、機器種類変更ボタン２２２と、扉開閉ボタン２２３と、傾き補正ボタン２２４と、保存ホルダ起動ボタン１１４とを含む。
機器種類変更ボタン２２２が押されることによって、合成部１３８は、表示している地上機器の種類を変更する。具体的には、ユーザが機器種類変更ボタン２２２を押すことによって、合成部１３８は、機器種類変更ボタン２２２が押されたことが分かるように表示を変更し、変更できる地上機器の種類を示す情報を表示する。ユーザは、表示された地上機器の種類を示す情報から、表示させたい地上機器の種類を示す情報が表示された部分を押すことによって、合成部１３８は、押された部分に該当する地上機器のイメージ画像に、表示されている地上機器のイメージ画像を変更する。
扉開閉ボタン２２３が押されることによって、合成部１３８は、表示部１４０に表示されている地上機器を格納している開閉器塔又は変圧器塔の開閉部を開状態にしたイメージ画像を表示する。このように構成することによって、開閉部が開状態になった場合に、扉が邪魔にならないか否かを確認できる。
傾き補正ボタン２２４が押されることによって、合成部１３８は、地上機器の傾きを補正する。このように構成することによって、仮に、斜面に地上機器を設置した場合のイメージ画像を表示する場合に、斜面の傾斜と地上機器の底面とが一致するように、地上機器のイメージ画像を補正できる。
【００３６】
図９は、第１の実施形態の電力設備設置イメージ表示装置の動作の一例を示す図である。
ユーザが傾き補正ボタン２２４を押すことによって、合成部１３８は、傾き補正ボタン２２４が押されたことが分かるように表示を変更し、傾きを補正する方法を示すメッセージを表示する。図９には、地上機器のイメージ画像２５０が表示された画像に、メッセージ「端末を傾けることで表示イメージの傾きを補正できます。」と、チェックボタン２２４ａとが表示されている。ユーザは、この表示にしたがって、端末（電力設備設置イメージ表示装置１００）を傾ける。ユーザが電力設備設置イメージ表示装置１００を傾けることによって、合成部１３８は、表示部１４０に表示している地上機器のイメージ画像を、傾けて表示する。ユーザは、表示部１４０に表示されている地上機器のイメージ画像の傾きが所望の傾きとなった場合に、表示部１４０に表示されているチェックボタン２２４ａを押すことで、傾き補正を完了できる。チェックボタン２１４ａが押された場合に、合成部１３８は、表示部１４０に表示されている地上機器のイメージ画像の傾きを、所望の傾きに固定する。
具体的には、電力設備設置イメージ表示装置１００に角速度センサーを内蔵し、ユーザが電力設備設置イメージ表示装置１００を傾けることによってその角速度センサーが検出した角速度に基づいて、合成部１３８は、表示部１４０に表示している地上機器のイメージ画像を、傾けて表示する。このように構成することによって、表示部１４０に表示される地上機器のイメージ画像を、電力設備設置イメージ表示装置１００の傾きにリンクさせることができるため、ユーザに直感的に傾きを補正させることができる。
【００３７】
（電力設備設置イメージ表示装置の動作）
図１０は、第１の実施形態の電力設備設置イメージ表示装置の動作の一例を示すフローチャートである。
（ステップＳ１０１）
電力設備設置イメージ表示装置１００の検出部１３２は、ユーザが操作部１５０へ、電柱２００の移設のイメージ画像を表示する処理を開始する操作を行った場合に、撮像部１６０を起動し、起動した撮像部１６０が撮像した画像から、電力設備用指定図形を検出する。検出部１３２は、検出した電力設備用指定図形を示す画像情報を、判定部１３３と、電力設備情報取得部１３４と、導出部１３６とへ出力する。
判定部１３３は、検出部１３２が出力した電力設備用指定図形を示す画像情報を取得し、取得した電力設備用指定図形が、電力設備用指定図形２３２であるか否かを判定する。判定部１３３は、電力設備用指定図形２３２であると判定した場合、電力設備情報取得部１３４へ、電力設備用指定図形２３２が認識されたことを示す情報を出力する。ここでは、判定部１３３が、電力設備用指定図形２３２であると判定した場合について説明を続ける。なお、判定部１３３が、電力設備用指定図形２３２でないと判定した場合、処理を終了し、ステップＳ１０１へ移行する。
（ステップＳ１０２）
電力設備情報取得部１３４は、判定部１３３が出力した電力設備用指定図形２３２が認識されたことを示す情報を取得した場合、ユーザが操作部１５０を操作することによって出力される電柱の種類を示す情報を取得する。電力設備情報取得部１３４は、判定部１３３が電力設備用指定図形２３２であると判定した場合、電柱情報を取得し、取得した電柱情報を、導出部１３６へ出力する。
（ステップＳ１０３）
電力設備設置イメージ表示装置１００の導出部１３６は、地上部分の電柱の長さを示す情報と、埋設部分の電柱の長さを示す情報と、上面の直径を示す情報とを導出する。
【００３８】
（ステップＳ１０４）
電力設備設置イメージ表示装置１００の合成部１３８は、電柱２００および支線３００を移設する前の画像に、電力設備用マーカ２３０が置かれた位置の地表を起点として、直径で、地上部分の電柱の長さを示す情報に該当する長さの電柱のイメージ画像を合成する。合成部１３８は、合成することによって得られた画像を、表示部１４０へ出力する。表示部１４０は、合成部１３８が出力した画像を表示する。
（ステップＳ１０５）
電力設備情報取得部１３４は、ユーザが操作部１５０へ、対象切替ボタン２１０を押す操作を行ったか否かを判定する。
（ステップＳ１０６）
ユーザが操作部１５０へ、対象切替ボタン２１０を押す操作を行っていない場合には、現状の表示を継続し、ステップＳ１０５へ移行する。
（ステップＳ１０７）
電力設備情報取得部１３４は、ユーザが操作部１５０へ、地上機器を新設した後のイメージ画像へ切り替える操作を行った場合、ユーザが操作部１５０を操作することによって出力される地上機器の種類を示す情報を取得する。また、電力設備情報取得部１３４は、検出部１３２が出力した電力設備用指定図形２３２を示す画像情報に基づいて、正面指定図形Ｆの方向を取得する。
（ステップＳ１０８）
導出部１３６は、表示部１４０に表示されている電力設備用マーカ２３０の高さｈ１と上面の直径ｄ１と、記憶部１２０に記憶されている電力設備用マーカ２３０の高さＨ１と上面の直径Ｄ１とに基づいて、表示部１４０に表示する地上機器のイメージ画像の幅と、高さと、奥行きとの各々の長さを導出する。
【００３９】
（ステップＳ１０９）
合成部１３８は、導出部１３６が出力した地上機器の幅と、高さと、奥行きとの各々の長さを示す情報と、正面指定図形Ｆの方向を示す情報とを取得した場合、電柱２００および支線３００を移設する前の画像に、電力設備用マーカ２３０が置かれた地表の位置を、地上機器の中心として、地上機器の幅と、高さと、奥行きとの各々の長さを示す情報に該当し、かつ正面指定図形Ｆの方向を示す情報に該当する方向を正面とする地上機器のイメージ画像を合成する。合成部１３８は、合成することによって得られた画像を、表示部１４０へ出力する。表示部１４０は、合成部１３８が出力した画像を表示する。
（ステップＳ１１０)
状態変更部１３５は、メニューアイコンに含まれる機器種類変更ボタン２２２と、扉開閉ボタン２２３と、傾き補正ボタン２２４などの状態変更ボタンが押されたか否かを判定する。状態変更ボタンが押されていない場合に、ステップＳ１１０へ移行する。
（ステップＳ１１１）
状態変更部１３５は、状態変更ボタンが押されたと判定した場合、状態変更ボタンが押されたことによって、操作部１５０から出力される状態変更情報を取得する。状態変更部１３５は、取得した状態変更情報を、合成部１３８へ出力する。
合成部１３８は、状態変更部１３５が出力した状態変更情報を取得した場合、取得した状態変更情報に基づいて、表示している地上機器のイメージ画像２５０の状態を変更する。具体的には、合成部１３８は、取得した状態変更情報に基づいて、表示されている地上機器のイメージ画像の変更、地上機器を格納している開閉器塔又は変圧器塔の開閉部を開状態にしたイメージ画像の表示、傾き補正を完了した地上機器のイメージ画像の表示を行う。
ステップＳ１１１の終了後にステップＳ１１０へ移行する。ステップＳ１１０へ移行することによって、その後、状態変更ボタンが押された場合に、押された状態変更ボタンに該当する処理を行うことができる。
【００４０】
前述した実施形態では、一例として、電力設備用マーカ２３０が置かれた位置に、電柱、地上機器のイメージ画像を表示する場合について説明したが、この例に限られない。例えば、電柱と、地上機器とを含む電力設備のイメージ画像を表示するようにしてもよい。
前述した実施形態において、メニューアイコンの位置は適宜変更可能である。
前述した実施形態では、一例として、地上機器を新設する場合について説明したが、この例に限られない。例えば、地上機器を移設する場合にも適用できる。
前述した第１の実施形態の拡張現実表示用マーカによれば、マーカ型ビジョンベース方式の拡張現実技術に用いられる拡張現実表示用マーカであって、予め登録される複数の図形が描かれたマーク面を備え、マーク面は、所定の閾値以下の反射率を有し、複数の図形は、太陽光の補色で描かれるマーカと、マーカに描かれたラインとを含む。このように構成することによって、太陽光が当たる場所であっても、ＡＲマーカの認識精度を向上させることができる。また、遠方からの認識精度を向上させることができる。
また、拡張現実表示用マーカは、立体の形状を有し、マーク面は、立体の側面を構成する。このように構成することによって、撮像位置の自由度を向上させることができる。
また、拡張現実表示用マーカは、２０ｃｍ以上且つ４０ｃｍ以下の高さを有する。このように構成することによって、１５ｍ−２０ｍの遠方からの認識精度を向上させることができる。
また、拡張現実表示用マーカの幅は、１５ｃｍ以上且つ４０ｃｍ以下である。このように構成することによって、１５ｍ−２０ｍの遠方からの認識精度を向上させることができる。
また、拡張現実表示用マーカには、重りが取り付けられている。このように構成することによって、風により飛ばされにくくできる。
また、マーク面と、下面とが展開可能に構成される。このように構成することによって、持ち運びを便利にできる。
また、マーク面は、防水加工がされている。このように構成することによって、雨天時の耐候性を向上させることができる。
また、マーク面には、正面指定図形Ｆが含まれる。このように構成することによって、地上機器を表示する場合に、その正面を指定できる。
【００４１】
前述した実施形態の電力設備設置イメージ表示装置によれば、電力設備設置イメージ表示装置は、表示部１４０と、地上機器の設置位置に設置されたマーカを検出する検出部１３２と、検出部１３２が検出したマーカに基づいて、電力設備の設置位置を示す情報である設置位置情報を導出し、マーカに基づいて、設置する地上機器のサイズを導出する導出部１３６と、導出部１３６が導出した設置位置情報と、電力設備のサイズとに基づいて、表示部１４０に、地上機器を合成して表示する合成部１３８とを備える。このように、マーカに基づいて、表示している画面に、地上機器の画像を合成することによって、拡張現実技術を使用して、地上機器を設置する現場で、地上機器を設置する前の画像に、その地上機器を設置した後の画像を合成した画像を作成できる。
【００４２】
また、検出部１３２が検出したマーカに表されている正面指定図形Ｆの向きを判定する判定部１３３を備え、導出部１３６は、判定部１３３が判定したマーカの画像に表されている正面指定図形Ｆの向きに基づいて、表示部１４０に表示する地上機器の向きを導出し、合成部１３８は、導出部１３６が導出した地上機器の向きにさらに基づいて、表示部１４０に、地上機器を合成して表示する。このように、マーカに表されている正面指定図形Ｆの向きを判定し、判定した向きに基づいて、表示部１４０に、設置する地上機器の向きを導出することによって、地上機器を設置する現場で、地上機器を設置する前の画像に、その地上機器を設置した後の画像を合成する際に、その地上機器の向きを指定できる。
【００４３】
また、表示部１４０に表示された地上機器の状態を変更する情報である状態変更情報を取得する状態変更部１３５を備え、合成部１３８は、状態変更部１３５が取得した状態変更情報に基づいて、表示部１４０に表示されている地上機器の状態を変更する。このように、表示部１４０に表示された地上機器の状態を変更する操作が行われた場合に、地上機器の状態を変更する情報である状態変更情報を取得し、取得した状態変更情報に基づいて、合成部１３８は、表示部１４０に表示されている地上機器の状態を変更できる。
また、状態変更情報には、地上機器の扉を開閉することを示す情報が含まれ、合成部１３８は、地上機器の扉を開閉することを示す情報に基づいて、表示部１４０に表示されている地上機器の状態を変更する。このように構成することによって、表示部１４０に表示されている地上機器の状態を変更できる。
また、状態変更情報には、地上機器の傾きを調整することを示す情報が含まれ、合成部１３８は、地上機器の傾きを調整することを示す情報に基づいて、表示部１４０に表示されている地上機器の状態を変更する。このように構成することによって、表示部１４０に表示されている地上機器の傾きを変更できる。
【００４４】
（第２の実施形態）
（電力設備設置イメージ表示装置）
図１１は、第２の実施形態の電力設備設置イメージ表示装置の一例を示す図である。第２の実施形態の電力設備設置イメージ表示装置１００ａは、第１の実施形態の電力設備設置イメージ表示装置１００において、ＡＲマーカ２３４を使用することなく、移設した電柱のイメージ画像２４０と、地上機器を新設した後のイメージ画像とのいずれか一方を表示するようにしたものである。
図１１の左図は、電力設備設置イメージ表示装置１００ａに、電柱２００および支線３００を移設する前の画像が表示されている様子を示す。図１２の真ん中の図は、電柱２００および支線３００を移設する前の画像に、その電柱２００を移設した後のイメージ画像２４０が表示されている様子を示す。図１２の右図は、電柱２００および支線３００を移設する前の画像に、地上機器を新設した後のイメージ画像２５０が表示されている様子を示す。
電柱２００および支線３００を移設する前の画像から、電柱２００を移設する前の画像に加え、その電柱を移設した後のイメージ画像２４０を表示する場合（図１１の左図から、図１１の真ん中の図）について説明する。
電力設備設置イメージ表示装置１００ａは、拡張現実技術を使用して、電柱２００を移設した後のイメージ画像を表示する。例えば、電柱２００を移設する依頼を受け、移設する電柱２００が設置された現地で依頼者と立ち会った際に、電力設備設置イメージ表示装置１００ａは、その現場で、電柱２００を移設した後のイメージ画像を、依頼者へ提示する。本実施形態では、一例として、マーカ型ビジョンベース方式の拡張現実技術が用いられる。
【００４５】
電力設備設置イメージ表示装置１００ａに、電柱２００を移設した後のイメージ画像を表示するには、スマートフォンなどの端末装置に、電力設備設置イメージ表示アプリをインストールし、インストールした電力設備設置イメージ表示アプリを起動させる。電力設備設置イメージ表示アプリを起動させた場合に、電力設備設置イメージ表示装置１００ａには、図１１の左図に示すように、地上機器表示切替ボタン２２８と、電柱表示切替ボタン２２９とが表示される。ユーザが、地上機器表示切替ボタン２２８と、電柱表示切替ボタン２２９とのいずれかを押すことによって、電力設備設置イメージ表示装置１００ａは、地上機器のイメージ画像と、電柱のイメージ画像とのいずれかを表示する。ここでは、ユーザが、電柱表示切替ボタン２２９を押した場合について説明する。ユーザが、電柱表示切替ボタン２２９を押した場合には、メニューアイコン１１０と、電柱切替えボタン１１１と、表示切替えボタン１１３と、保存ホルダ起動ボタン１１４と、シャッタボタン１１５とに加え、移動ボタン１１６と、測量機能ボタン１１７とが示されているが、これらについては、後述する。
ユーザは、電力設備設置イメージ表示アプリが起動している端末装置を上下および左右のいずれか一方又は両方にシェイクさせる。
電力設備設置イメージ表示装置１００ａは、撮像部を備える。撮像部の詳細については、後述する。電力設備設置イメージ表示装置１００ａは、その撮像部が取得する画像に含まれる特徴点（ＦＰ）を認識する。ここで、特徴点とは、画像上の点のうち、検出できる点をいう。具体的には、特徴点は、強度が極大又は極小の点、曲線の終点、曲率が極大である曲線上の点などの孤立した点である。電力設備設置イメージ表示装置１００ａは、シェイクによって生じる特徴点のずれ量を取得し、取得した特徴点のずれ量とシェイクすることによって電力設備設置イメージ表示装置１００ａに生じる加速度の情報と、角速度の情報とを分析する。電力設備設置イメージ表示装置１００ａは、分析結果に基づいて、地面などの平面を認識するとともに、特徴点の集合によって形成される対象物のサイズを把握する。ここで、対象物の一例は、電柱２００である。
【００４６】
ユーザは、図１１の左図に示される電力設備設置イメージ表示装置１００ａの表示画面において、電柱２００を移設させたい位置を、ペン先や、指先で突く動作（タップ）を行う。ここで、タップが行われる位置は、移設させたい電柱の移設先の根元部分である。具体的には、ユーザは、電柱２００を移設させたい場合には、移設させたい電柱２００をタップした後に、その電柱２００を移設させたい位置をタップする。
図１１の真ん中の図によれば、タップが行われた位置を電柱の根元とし、そのタップが行われた位置から上方向に伸びる電柱のイメージ画像２４０が表示されている。
さらに、図１１の真ん中の図には、ユーザが、電柱表示切替ボタン２２９を押した場合に表示されるメニューアイコン１１０と、電柱切替えボタン１１１と、表示切替えボタン１１３と、保存ホルダ起動ボタン１１４と、シャッタボタン１１５と、移動ボタン１１６と、測量機能ボタン１１７とに加え、電柱表示ＯＦＦボタン１１８が表示される。電柱表示ＯＦＦボタン１１８については、後述する。
【００４７】
電柱２００および支線３００を移設する前の画像に、その電柱２００を移設した後のイメージ画像２４０を加えた画像から、電柱２００および支線３００を移設する前の画像に加え、地上機器を新設した後のイメージ画像を表示する場合（図１１の真ん中の図から、図１１の右図）について説明する。図１１の左図において、ユーザは、地上機器表示切替ボタン２２８を押す。ユーザが、地上機器表示切替ボタン２２８を押した場合には、電力設備設置イメージ表示装置１００ａに、地面配置ボタン２１１と、壁配置ボタン２１２と、柱配置ボタン２１３と、設備削除ボタン２１４と、設備編集ボタン２１５と、測量ボタン２１６と、ギャラリーボタン２１７と、３Ｄ２Ｄ切替ボタン２１８と、ズームワイドボタン２１９とが表示される。
【００４８】
（電力設備設置イメージ表示装置）
図１２は、第２の実施形態の電力設備設置イメージ表示装置の一例を示すブロック図である。電力設備設置イメージ表示装置１００ａの一例は、電力設備設置イメージ表示アプリをインストールしたスマートフォン、タブレット端末などの端末装置である。
電力設備設置イメージ表示装置１００ａは、例えば、通信部１０２と、記憶部１２０ａと、情報処理部１３０ａと、表示部１４０と、操作部１５０と、撮像部１６０と、ＧＮＳＳ受信部１７０と、加速度センサー１８０と、ジャイロセンサー１９０とを備える。
記憶部１２０ａは、例えば、ＲＡＭ、ＲＯＭ、ＨＤＤ、フラッシュメモリ、またはこれらのうち複数が組み合わされたハイブリッド型記憶装置などにより実現される。記憶部１２０ａの一部または全部は、電力設備設置イメージ表示装置１００ａの一部として設けられる場合に代えて、ＮＡＳや外部のストレージサーバなど、電力設備設置イメージ表示装置１００ａのプロセッサがネットワークを介してアクセス可能な外部装置により実現されてもよい。記憶部１２０ａには、情報処理部１３０ａにより実行されるプログラム１２２ａと、電力設備設置イメージ表示アプリなどのアプリ１２４ａとが記憶される。
プログラム１２２ａは、例えば、オペレーティングシステムであり、ユーザやアプリケーションプログラムとハードウェアの中間に位置し、ユーザやアプリケーションプログラムに対して標準的なインターフェースを提供すると同時に、ハードウェアなどの各リソースに対して効率的な管理を行う。
アプリ１２４ａは、電力設備設置イメージ表示装置１００ａに、電力設備の設置位置を示す情報である設置位置情報を取得させる。アプリ１２４ａは、電力設備設置イメージ表示装置１００ａに、設置する電力設備の種類を示す情報を取得させる。アプリ１２４ａは、電力設備設置イメージ表示装置１００ａに、表示部１４０が表示している特徴点（ここでは、電柱）に基づいて、設置する電力設備のサイズを導出させる。アプリ１２４ａは、電力設備設置イメージ表示装置１００ａに、設置位置情報と、電力設備のサイズとに基づいて、表示部１４０に、設置する電力設備を合成して表示させる。
【００４９】
加速度センサー１８０は、例えば３軸加速度センサーによって構成され、互いに直交する３軸方向の加速度の大きさをそれぞれ計測する。加速度センサー１８０は、３軸方向の加速度の大きさを表す情報（以下、「加速度情報」という）を情報処理部１３０ａへ出力する。
ジャイロセンサー１９０は、例えば３軸ジャイロセンサーによって構成され、互いに直交する３軸方向の地軸の大きさをそれぞれ計測する。ジャイロセンサー１９０は、３軸方向の地軸の大きさを表す情報（以下、「ジャイロ情報」という）を情報処理部１３０ａへ入力する。
【００５０】
情報処理部１３０ａの全部または一部は、例えば、ＣＰＵのようなプロセッサが記憶部１２０ａに記憶されたプログラム１２２ａや、アプリ１２４ａを実行することにより実現されるソフトウェア機能部である。
なお、情報処理部１３０ａの全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部１３０ａは、例えば、電力設備情報取得部１３４ａと、状態変更部１３５と、導出部１３６ａと、合成部１３８ａと、情報取得部１３９と、を備える。
【００５１】
情報取得部１３９は、ユーザが操作部１５０へ、電力設備設置イメージ表示アプリを起動させる操作を行った後に、ユーザが、電力設備設置イメージ表示装置１００ａをシェイクさせた場合に、撮像部１６０が取得する画像に含まれる特徴点のずれ量を示す情報を取得する。さらに、情報取得部１３９は、加速度センサー１８０を制御することによって、電力設備設置イメージ表示装置１００ａがシェイクされることよって生じる加速度情報を取得する。さらに、情報取得部１３９は、ジャイロセンサー１９０を制御することによって、電力設備設置イメージ表示装置１００ａがシェイクされることよって生じるジャイロ情報を取得する。情報取得部１３９は、取得した特徴点のずれ量を示す情報と、加速度情報と、ジャイロ情報とを、導出部１３６ａへ出力する。
また、情報取得部１３９は、表示部１４０の表示画面上のタップが行われた位置を示す情報（以下、「タップ位置情報」という）を取得する。情報取得部１３９は、取得したタップ位置情報を、導出部１３６ａへ出力する。
【００５２】
また、情報取得部１３９は、操作部１５０が出力したシャッタが押されたことを示す情報を取得し、取得したシャッタが押されたことを示す情報に基づいて、ＧＮＳＳ受信部１７０へ、測位命令を出力する。情報取得部１３９は、ＧＮＳＳ受信部１７０が出力した電力設備設置イメージ表示装置１００の位置情報（経度情報、緯度情報）を取得し、取得した位置情報（経度情報、緯度情報）に基づいて、住所情報を取得する。具体的には、情報取得部１３９は、通信部１０２から、インターネットなどのネットワーク（図示なし）に接続されたサーバ（図示なし）へアクセスする。ここで、サーバは、位置情報（経度情報、緯度情報）から、その位置情報（経度情報、緯度情報）に対応する住所情報を取得する。情報取得部１３９は、通信部１０２から、位置情報（経度情報、緯度情報）を、サーバへ送信し、そのサーバは送信したその位置情報（経度情報、緯度情報）に対応する住所情報を、通信部１０２から取得する。情報取得部１３９は、取得した住所情報を、合成部１３８ａへ出力する。
【００５３】
電力設備情報取得部１３４ａは、ユーザが操作部１５０を操作することによって出力される電柱の種類を示す情報を取得する。ここで、電柱の種類を示す情報には、電柱のサイズを示す情報が含まれる。本実施形態では、電柱のサイズを示す情報の一例として、電柱の長さを示す情報を適用する場合について説明を続ける。電力設備情報取得部１３４ａは、取得した電柱の長さを示す情報を、導出部１３６ａへ出力する。
電力設備情報取得部１３４ａは、ユーザが操作部１５０へ、地上機器を新設した後のイメージ画像を表示する操作を行った場合、ユーザが操作部１５０を操作することによって出力される地上機器の種類を示す情報を取得する。ここで、地上機器の種類を示す情報には、地上機器のサイズを示す情報が含まれる。本実施形態では、地上機器のサイズを示す情報の一例として、地上機器の幅と、高さと、奥行きとの各々の長さを示す情報を適用する場合について説明を続ける。また、電力設備情報取得部１３４ａは、ユーザが操作部１５０を操作することによって出力される地上機器の正面を示す情報を取得する。電力設備情報取得部１３４は、取得した地上機器の幅と、高さと、奥行きとの各々の長さを示す情報と、地上機器の正面を示す情報とを、導出部１３６ａへ出力する。
【００５４】
導出部１３６ａは、情報取得部１３９が出力した特徴点のずれ量を示す情報と、加速度情報と、ジャイロ情報とを取得する。導出部１３６ａは、取得した特徴点のずれ量を示す情報と、加速度情報と、ジャイロ情報とに基づいて、地面などの平面を認識するとともに、特徴点の集合によって形成される対象物のサイズを認識する。
図１３は、第２の実施形態の電力設備設置イメージ表示装置の導出部の処理の一例を示す図である。図１３には、電力設備設置イメージ表示装置１００ａが左右にシェイクされた場合に、電力設備設置イメージ表示装置１００ａと撮像部１６０が取得する画像に含まれる特徴点の集合によって形成される対象物との間の実際の距離ｄを求める処理が示される。
【００５５】
電力設備設置イメージ表示装置１００ａが左右にシェイクされることによって、電力設備設置イメージ表示装置１００ａは、位置Ａと、位置Ｂとの間で移動すると仮定する。ここで、位置Ａと位置Ｂとの間の長さを距離Ｌとする。位置Ａと位置Ｂとで、電力設備設置イメージ表示装置１００ａの表示部１４０には、特徴点ＦＰが表示されている。位置Ａで、電力設備設置イメージ表示装置１００ａと、電力設備設置イメージ表示装置１００ａの撮像部１６０が取得する画像に含まれる特徴点（ＦＰ）の実際の位置とを結んだ線と、位置Ａと位置Ｂとを結んだ線とのなす角度を角度αとする。位置Ｂで、電力設備設置イメージ表示装置１００ａと、電力設備設置イメージ表示装置１００ａの撮像部１６０が取得する画像に含まれる特徴点（ＦＰ）の実際の位置とを結んだ線と、位置Ａと位置Ｂとを結んだ線とのなす角度を角度βとする。
導出部１３６ａは、角度αと、角度βとを、ジャイロ情報を用いて導出する。
導出部１３６ａは、導出した角度αと、角度βと、距離Ｌとに基づいて、三角測量の原理を利用して、式（１）から、電力設備設置イメージ表示装置１００ａと特徴量ＦＰの実際の位置との間の距離ｄを導出する。
ｄ＝ｓｉｎα×ｓｉｎβ×Ｌ／ｓｉｎ（α＋β）      （１）
図１３には、電力設備設置イメージ表示装置１００ａと一つの特徴量ＦＰの実際の位置との間の距離ｄを導出する場合について示したが、導出部１３６ａは、電力設備設置イメージ表示装置１００ａの撮像部１６０が取得する画像に含まれる特徴点の全てについて、距離ｄを導出する。このように、電力設備設置イメージ表示装置１００ａと特徴点ＦＰの実際の位置との間の距離ｄを導出することによって、撮像部１６０が取得する画像内に存在する対象物の実際のサイズ（大きさ）を把握できる。
【００５６】
導出部１３６ａは、電力設備情報取得部１３４ａが出力した電柱の長さを示す情報を取得した場合、以下の処理を行う。
導出部１３６ａは、電力設備設置イメージ表示装置１００ａと電柱２００を形成する複数の特徴点ＦＰの各々の距離ｄに基づいて、電柱２００の実際のサイズ（直径）を導出する。導出部１３６ａは、取得した電柱２００の実際のサイズ（直径）に基づいて、その電柱２００を移設した場合の実際のサイズ（直径、長さ）を導出する。
具体的には、導出部１３６ａは、取得した電柱２００の実際のサイズ（直径）と、電力設備情報取得部１３４ａが出力した電柱の長さを示す情報とに基づいて、移設する電柱２００の実際のサイズを導出する。電柱の長さに応じて、地上部分の実際の長さと、埋設部分の実際の長さとは予め規定されている。
導出部１３６ａは、導出した移設する電柱２００の実際のサイズと、表示部１４０に表示されている電柱２００のサイズとの比などの割合を求め、求めた割合に基づいて、移設する電柱２００を、表示部１４０に表示するときの地上部分の電柱の長さと、埋設部分の電柱の長さと、直径とを導出する。導出部１３６ａは、導出した地上部分の電柱の長さを示す情報と、埋設部分の電柱の長さを示す情報と、電柱の直径を示す情報と、情報取得部１３９が出力したタップ位置情報とを、合成部１３８ａへ出力する。
さらに、導出部１３６ａは、電力設備情報取得部１３４ａが出力した地上機器の幅と、高さと、奥行きとの各々の長さを示す情報と、地上機器の正面を示す情報とを取得した場合、以下の処理を行う。導出部１３６ａは、導出した新設する地上機器の実際のサイズと、表示部１４０に表示されている電柱２００のサイズとの比などの割合を求め、求めた割合に基づいて、新設する地上機器を、表示部１４０に表示する地上機器のイメージ画像の幅と、高さと、奥行きとの各々の長さを導出する。導出部１３６ａは、導出した地上機器の幅と、高さと、奥行きとの各々の長さを示す情報と、地上機器の正面を示す情報と、情報取得部１３９が出力したタップ位置情報とを、合成部１３８ａへ出力する。
【００５７】
合成部１３８ａは、導出部１３６ａが出力した地上部分の電柱の長さを示す情報と、埋設部分の電柱の長さを示す情報と、電柱の直径を示す情報と、タップ位置情報とを取得した場合、電柱２００および支線３００を移設する前の画像に、タップ位置情報によって示される地表の位置を起点として、電柱の直径を示す情報に該当する直径で、地上部分の電柱の長さを示す情報に該当する高さの電柱のイメージ画像を合成する。
さらに、合成部１３８ａは、情報取得部１３９が出力した住所情報を取得した場合、電柱２００および支線３００を移設する前の画像に、電柱のイメージ画像を合成するとともに、住所情報を合成する。合成部１３８ａは、合成することによって得られた画像を、表示部１４０へ出力する。
合成部１３８ａは、合成することによって得られた画像を、表示部１４０へ出力する。
また、合成部１３８ａは、導出部１３６ａが出力した地上機器の幅と、高さと、奥行きとの各々の長さを示す情報と、地上機器の正面を示す情報と、タップ位置情報とを取得した場合、電柱２００および支線３００を移設する前の画像に、タップ位置情報によって示される地表の位置を起点として、地上機器の幅と、高さと、奥行きとの各々の長さを示す情報に該当し、かつ地上機器の正面を示す情報に該当する方向を正面とする地上機器のイメージ画像２５０を合成する。さらに、合成部１３８ａは、情報取得部１３９が出力した住所情報を取得した場合、電柱を移設する前の画像に、地上機器のイメージ画像２５０を合成するとともに、住所情報を合成する。合成部１３８ａは、合成することによって得られた画像を、表示部１４０へ出力する。
また、合成部１３８ａは、状態変更部１３５が出力した状態変更情報を取得した場合、取得した状態変更情報に基づいて、表示している地上機器のイメージ画像２５０の状態を変更する。
【００５８】
（動作例）
図１４は、第２の実施形態の電力設備設置イメージ表示装置の動作の一例（その１）を示す図である。
図１４の左図は、電柱２００および支線３００を移設する前の画像である。図１４の右図は、電柱２００および支線３００を移設する前の画像に、電柱のイメージ画像を合成した画像である。図１４に示される例では、ユーザが、表示部１４０に表示されている電柱２００および支線３００を移設する前の画像において、電柱表示切替ボタン２２９を押した後に、電柱を移設させたい地表部分をタップすることによって、合成部１３８ａは、タップした地表部分を起点とする電柱のイメージ画像を合成する。
図１４の左図には、電柱２００および支線３００を移設する前の画像に、メッセージ「電柱を配置しよう！  地面部分をタッチして、電柱を配置してください」が表示されている。ユーザは、この表示にしたがって、電柱のイメージ画像を配置したい地面部分をタップする。情報取得部１３９は、そのタップが行われた位置を示すタップ位置情報を取得する。情報取得部１３９は、取得したタップ位置情報を、導出部１３６ａへ出力する。導出部１３６ａは、電柱２００の実際のサイズ（直径）に基づいて、その電柱２００を移設した場合の実際のサイズ（直径、長さ）を導出する。導出部１３６ａは、導出した移設する電柱２００の実際のサイズと、表示部１４０に表示されている電柱２００のサイズとの割合を求め、求めた割合に基づいて、移設する電柱２００を、表示部１４０に表示するときの地上部分の電柱の長さと、埋設部分の電柱の長さと、直径とを導出する。導出部１３６ａは、導出した地上部分の電柱の長さを示す情報と、埋設部分の電柱の長さを示す情報と、電柱の直径を示す情報と、情報取得部１３９が出力したタップ位置情報とを、合成部１３８ａへ出力する。
【００５９】
合成部１３８ａは、導出部１３６ａが出力した地上部分の電柱の長さを示す情報と、埋設部分の電柱の長さを示す情報と、電柱の直径を示す情報と、タップ位置情報とを取得した場合、電柱２００および支線３００を移設する前の画像に、タップ位置情報によって示される地表の位置を起点として、電柱の直径を示す情報に該当する直径で、地上部分の電柱の長さを示す情報に該当する高さの電柱のイメージ画像を合成する。この結果、図１４の右図に示されるように、電柱２００および支線３００を移設する前の画像に、タップした地面の位置を起点として、電柱の直径を示す情報に該当する直径で、地上部分の電柱の長さを示す情報に該当する高さの電柱のイメージ画像が合成される。合成される電柱のイメージ画像は、移設する電柱２００の実際のサイズと、表示部１４０に表示されている電柱２００のサイズとの割合に基づいて、導出したものとなっている。電力設備設置イメージ表示装置１００ａを動かすことによって、撮像部１６０が取得する画像が変わっても、電柱のイメージ画像は、タップした地面の位置に留まるように表示される。
【００６０】
図１４の右図には、電柱のイメージ画像に加えて、電柱表示ＯＦＦボタン１１８が表示されている。ここで、電柱表示ＯＦＦボタン１１８は、電柱のイメージ画像が表示されている状態で、その電柱のイメージ画像の表示を消したいときに押すボタンである。この電柱表示ＯＦＦボタン１１８が押されることによって、合成部１３８ａは、電柱表示ＯＦＦを示す情報を取得し、取得した電柱表示ＯＦＦを示す情報に基づいて、電柱を移設する前の画像を、表示部１４０へ出力する。つまり、合成部１３８ａは、電柱表示ＯＦＦを示す情報を取得した場合、電柱のイメージ画像は合成しない。その結果、電柱のイメージ画像が表示されなくなる。
【００６１】
図１５は、第２の実施形態の電力設備設置イメージ表示装置の動作の一例（その２）を示す図である。図１５は、電柱のイメージ画像を移動させる処理を示す。
図１５の左図は、移設する電柱のイメージ画像を表示した表示画面である。この表示画面には、電柱を移設した後の画像に加えて、電柱表示ＯＦＦボタン１１８が表示されている。
図１５の左図の状態で、ユーザが、移動ボタン１１６を押した場合に、以下の処理が行われる。情報取得部１３９は、ユーザが移動ボタン１１６を押すことによって出力される移動を要求することを示す情報を取得し、電柱のイメージ画像の地表部分を、赤色などの目立つ色のマーカ２４０ａで表示する（図１５の右図）。ユーザは、電柱のイメージ画像のうち、移動させたい電柱のイメージ画像に表示されているマーカをタップすることなどによって選択する。
【００６２】
図１６は、第２の実施形態の電力設備設置イメージ表示装置の動作の一例（その３）を示す図である。図１６は、電柱のイメージ画像のイメージ画像のいずれか一方又は両方の移動先を設定する処理を示す。ここでは、電柱のイメージ画像の移動先を設定する場合について説明を続ける。
図１６は、図１５の右図において、ユーザが、電柱のイメージ画像の地表部分に目立つ色で表示されたマーカをタップし、さらに、表示画面上で、スワイプすることによって、移動先を指定する。
ユーザが、電柱のイメージ画像の地表部分に目立つ色で表示されたマーカをタップした場合に、情報取得部１３９は、表示画面上にチェックボタン１１６ａを表示する。ユーザは、表示画面上でスワイプすることで、電柱のイメージ画像の移動先を指定する。ユーザが、電柱のイメージ画像の移動先を指定後、チェックボタン１１６ａを押すことによって、情報取得部１３９は、電柱のイメージ画像の移動先を示すタップ位置情報を取得する。情報取得部１３９は、取得したタップ位置情報を、導出部１３６ａへ出力する。導出部１３６ａは、電柱のイメージ画像の地上部分の長さを示す情報と、埋設部分の長さを示す情報と、直径を示す情報と、情報取得部１３９が出力したタップ位置情報とを、合成部１３８ａへ出力する。
【００６３】
合成部１３８ａは、導出部１３６ａが出力した電柱のイメージ画像の地上部分の長さを示す情報と、埋設部分の長さを示す情報と、電柱の直径を示す情報と、タップ位置情報とを取得した場合、電柱を移設する前の画像に、タップ位置情報によって示される地表の位置を起点として、電柱の直径を示す情報に該当する直径で、地上部分の長さを示す情報に該当する高さの電柱のイメージ画像を合成する。合成部１３８ａは、合成することによって得られた画像を、表示部１４０へ出力する。この結果、表示部１４０は、電柱のイメージ画像を、移動先へ移動させた表示画像を表示する。
図１７は、第２の実施形態の電力設備設置イメージ表示装置の動作の一例（その４）を示す図である。
電柱のイメージ画像が表示されている状態で、ユーザが電柱切替えボタン１１１を押すことによって、電柱サイズの選択ボタンが表示される。電柱サイズの選択ボタンには、第１の実施形態と同様に、電柱の高さが表示された複数のボタンが含まれる。図１７に示される例では、「６．９」が表示された６．９メートルの電柱の電柱選択ボタン１１１ａと、「１０」が表示された１０メートルの電柱の電柱選択ボタン１１１ｂと、「１２」が表示された１２メートルの電柱の電柱選択ボタン１１１ｃと、「１４」が表示された１４メートルの電柱の電柱選択ボタン１１１ｄと、「１５」が表示された１５メートルの電柱の電柱選択ボタン１１１ｅと、「１６」が表示された１６メートルの電柱の電柱選択ボタン１１１ｆとが含まれる。
【００６４】
ユーザは、電柱選択ボタン１１１ａ−電柱選択ボタン１１１ｆのうち、表示したい電柱の高さを押すことによって選択する。電力設備情報取得部１３４ａは、ユーザが操作部１５０を操作することによって出力される電柱の種類を示す情報を取得し、取得した電柱の長さを示す情報を、導出部１３６ａへ出力する。導出部１３６ａは、電力設備情報取得部１３４ａが出力した電柱の長さを示す情報を取得し、取得した電柱の長さを示す情報に基づいて、移設する電柱２００の実際のサイズを導出する。電柱の長さに応じて、地上部分の実際の長さと、埋設部分の実際の長さとは予め規定されている。導出部１３６ａは、導出した移設する電柱２００の実際のサイズと、表示部１４０に表示されている電柱２００のサイズとの割合に基づいて、移設する電柱２００を、表示部１４０に表示するときの地上部分の電柱の長さと、埋設部分の電柱の長さとを導出する。導出部１３６ａは、導出した地上部分の電柱の長さを示す情報と、埋設部分の電柱の長さを示す情報とを、合成部１３８ａへ出力する。
合成部１３８ａは、導出部１３６ａが出力した地上部分の電柱の長さを示す情報と、埋設部分の電柱の長さを示す情報とを取得した場合、表示されている電柱のイメージ画像の地上部分の高さを、導出部１３６ａが出力した地上部分の電柱の長さを示す情報に該当する高さに変更する。合成部１３８ａは、電柱のイメージ画像の地上部分の高さを変更した画像を、表示部１４０へ出力する。この結果、表示部１４０は、電柱のイメージ画像の高さが変更された表示画像を表示する。
【００６５】
図１８は、第２の実施形態の電力設備設置イメージ表示装置の動作の一例（その５）を示す図である。図１８は、測量を行う処理を示す。
図１８の左図は、電柱のイメージ画像を表示した状態で、ユーザが、測量機能ボタン１１７を押した場合に、表示部１４０に表示される表示画面の一例を示す。表示画面には、メッセージ「測量モード  測量したい部分にポインターを合わせてカメラを動かしてください」が表示されるとともに、表示画面の下部に測量ボタン１１７ａ、表示画面の中央にポインター１１７ｂが表示される。
ユーザは、二点間を測量する場合、始点にポインター１１７ｂを合わせ、測量ボタン１１７ａを押す。これによって、情報取得部１３９は、測量の始点を示す位置情報を取得する。ユーザは、測量ボタン１１７ａを押した状態で、電力設備設置イメージ表示装置１００ａを動かし、終点にポインター１１７ｂを合わせ、測量ボタン１１７ａを離す。これによって、情報取得部１３９は、測量の終点を示す位置情報を取得する。情報取得部１３９は、測量の始点を示す位置情報と、測量の終点を示す位置情報とを、導出部１３６ａへ出力する。
導出部１３６ａは、情報取得部１３９が出力した測量の始点を示す位置情報と、測量の終点を示す位置情報とに基づいて、その始点とその終点との間の表示画面上における長さを導出する。導出部１３６ａは、表示画面上における長さと、前述した移設する電柱２００の実際のサイズと、表示部１４０に表示されている電柱２００のサイズとの比などの割合に基づいて、現実の長さを導出する。導出部１３６ａは、測量の始点を示す位置情報と、測量の終点を示す位置情報と、現実の長さを示す情報とを、合成部１３８ａへ出力する。
【００６６】
合成部１３８ａは、導出部１３６ａが出力した測量の始点を示す位置情報と、測量の終点を示す位置情報と、現実の長さを示す情報とを取得した場合、表示画像に、測量の始点を示す位置と、測量の終点を示す位置とを線分で結び、その線分の近傍に現実の長さを示す情報を表示した画像を合成する。合成部１３８ａは、合成することによって得られた画像を、表示部１４０へ出力する。この結果、表示部１４０は、表示画面に、測量の始点を示す位置と、測量の終点を示す位置とを線分で結び、その線分の近傍に現実の長さを示す情報を表示した画像を表示する。
図１８の右図は、表示部１４０に表示される測量結果の一例を示す。表示画面には、測量の始点を示す位置と、測量の終点を示す位置とを線分で結び、その線分の近傍に現実の長さを示す情報を表示した画像と、測量ＯＦＦボタン１１７ｃとが表示されている。
測量ＯＦＦボタン１１７ｃは、測量結果（測量の始点を示す位置と、測量の終点を示す位置とを線分で結び、その線分の近傍に現実の長さを示す情報を表示したもの）が表示されている状態で、その測量結果を消したいときに押すボタンである。この測量ＯＦＦボタン１１７ｃが押されることによって、合成部１３８ａは、測量ＯＦＦを示す情報を取得し、取得した測量ＯＦＦを示す情報に基づいて、電柱を移設する前の画像に、電柱のイメージ画像を合成した画像を、表示部１４０へ出力する。つまり、合成部１３８ａは、測量ＯＦＦを示す情報を取得した場合、測量結果のイメージ画像は合成しない。その結果、測量の始点を示す位置と、測量の終点を示す位置とを線分で結び、その線分の近傍に現実の長さを示す情報を表示した画像が表示されなくなる。
【００６７】
測量の始点を示す位置と、測量の終点を示す位置とを線分で結び、その線分の近傍に現実の長さを示す情報を表示した画像が表示された状態で、ユーザは、さらに、二点間を測量する場合、始点にポインター１１７ｂを合わせ、測量ボタン１１７ａを押す。これによって、情報取得部１３９は、測量の始点を示す位置情報を取得する。ユーザは、測量ボタン１１７ａを押した状態で、電力設備設置イメージ表示装置１００ａを動かし、終点にポインター１１７ｂを合わせ、測量ボタン１１７ａを離す。これによって、情報取得部１３９は、測量の終点を示す位置情報を取得する。情報取得部１３９は、測量の始点を示す位置情報と、測量の終点を示す位置情報とを、導出部１３６ａへ出力する。導出部１３６ａは、情報取得部１３９が出力した測量の始点を示す位置情報と、測量の終点を示す位置情報とに基づいて、その始点とその終点との間の表示画面上における長さを導出する。導出部１３６ａは、表示画面上における長さと、前述した移設する電柱２００の実際のサイズと、表示部１４０に表示されている電柱２００のサイズとの比などの割合に基づいて、現実の長さを導出する。導出部１３６ａは、測量の始点を示す位置情報と、測量の終点を示す位置情報と、現実の長さを示す情報とを、合成部１３８ａへ出力する。
合成部１３８ａは、導出部１３６ａが出力した測量の始点を示す位置情報と、測量の終点を示す位置情報と、現実の長さを示す情報とを取得した場合、表示画像に、測量の始点を示す位置と、測量の終点を示す位置とを線分で結び、その線分の近傍に現実の長さを示す情報を表示した画像を合成する。合成部１３８ａは、合成することによって得られた画像を、表示部１４０へ出力する。この結果、表示部１４０は、表示画像に、測量の始点を示す位置と、測量の終点を示す位置とを線分で結び、その線分の近傍に現実の長さを示す情報を表示した画像を表示する。これによって、複数の測量結果を表示できる。
【００６８】
図１９は、第２の実施形態の電力設備設置イメージ表示装置の動作の一例（その６）を示す図である。図１９は、前述した図１１の左図において、ユーザが、地上機器表示切替ボタン２２８を押した場合の動作を示す。ユーザが、地上機器表示切替ボタン２２８を押した場合には、図１９の左図に示されるように、表示部１４０には、地面配置ボタン２１１と、壁配置ボタン２１２と、柱配置ボタン２１３と、設備削除ボタン２１４と、設備編集ボタン２１５と、測量ボタン２１６と、ギャラリーボタン２１７と、３Ｄ２Ｄ切替ボタン２１８と、ズームワイドボタン２１９とが表示される。
地面配置ボタン２１１が押されることによって、合成部１３８ａは、地上機器を地面に配置したイメージ画像を表示する。この機能が実行されるためには、電力設備設置イメージ表示装置１００ａに、地面を認識させる必要がある。
壁配置ボタン２１２が押されることによって、合成部１３８ａは、地上機器を壁に配置したイメージ画像を表示する。この機能が実行されるためには、電力設備設置イメージ表示装置１００ａに、壁を認識させる必要がある。
柱配置ボタン２１３が押されることによって、合成部１３８ａは、地上機器を柱に配置したイメージ画像を表示する。この機能が実行されるためには、電力設備設置イメージ表示装置１００ａに、柱を認識させる必要がある。
設備削除ボタン２１４が押されることによって、合成部１３８ａは、表示部１４０に表示されている地上機器のイメージ画像を削除する。
設備編集ボタン２１５が押されることによって、合成部１３８ａは、表示されている地上機器の傾き、色を切り替える。
測量ボタン２１６が押されることによって、情報処理部１３０ａは、表示部１４０に表示されている対象物の長さを測量する。具体的には、ユーザが、測量ボタン２１６を押した後に、起点に該当する位置と、終点に該当する位置とにタッチすることによって、情報処理部１３０ａは、起点と終点との間の長さを測量する。合成部１３８は、測量結果を表示する。
【００６９】
ギャラリーボタン２１７が押されることによって、情報処理部１３０ａは、保存したイメージ画像の一覧を表示する。ユーザは、表示されたイメージ画像の一覧を参照し、表示したいイメージ画像を選択する。合成部１３８ａは、ユーザが選択したイメージ画像を表示する。
３Ｄ２Ｄ切替ボタン２１８が押されることによって、合成部１３８ａは、表示部１４０に表示されている画像を、二次元と三次元との間で切り替える。具体的には、３Ｄ２Ｄ切替ボタン２１８は、表示部１４０に、３Ｄ画像が表示されている場合には、その３Ｄ画像に相当する２Ｄ画像を生成する。合成部１３８ａは、生成した２Ｄ画像を、表示部１４０に表示する。また、合成部１３８ａは、表示部１４０に２Ｄ画像が表示されている場合には、その２Ｄ画像に相当する３Ｄ画像を生成する。合成部１３８ａは、生成した３Ｄ画像を、表示部１４０に表示する。
ズームワイドボタン２１９が押されることによって、合成部１３８ａは、表示部１４０に表示されている画像を拡大又は縮小する。
ここで、一例として、ユーザが、地面配置ボタン２１１を押した場合について説明する。ユーザは、地面に地上機器を配置する場合、地面配置ボタン２１１を押す。これによって、情報取得部１３９は、地上配置命令を取得し、取得した地上配置命令を、合成部１３８ａに出力する。合成部１３８ａは、情報取得部１３９が出力した地上配置命令を取得し、取得した地上配置命令に基づいて、図１９の真ん中の図に示すように、表示部１４０の表示画面に、メッセージ「地面を認識してください」を表示する。ユーザは、電力設備設置イメージ表示装置１００ａを左右にシェイクする。これによって、情報取得部１３９は、撮像部１６０が取得する画像に含まれる特徴点のずれ量を示す情報を取得する。さらに、情報取得部１３９は、加速度センサー１８０を制御することによって、電力設備設置イメージ表示装置１００ａがシェイクされることよって生じる加速度情報を取得する。さらに、情報取得部１３９は、ジャイロセンサー１９０を制御することによって、電力設備設置イメージ表示装置１００ａがシェイクされることよって生じるジャイロ情報を取得する。情報取得部１３９は、取得した特徴点のずれ量を示す情報と、加速度情報と、ジャイロ情報とを、導出部１３６ａへ出力する。
【００７０】
導出部１３６ａは、情報取得部１３９が出力した特徴点のずれ量を示す情報と、加速度情報と、ジャイロ情報とを取得する。導出部１３６ａは、取得した特徴点のずれ量を示す情報と、加速度情報と、ジャイロ情報とに基づいて、地面などの平面を認識する。導出部１３６ａは、平面を認識した場合に、認識した平面のイメージ画像を表示する位置を導出し、導出することによって得られた位置情報を、合成部１３８ａへ出力する。合成部１３８ａは、導出部１３６ａが出力した位置情報を取得し、取得した位置情報に基づいて、平面のイメージ画像を表示する。図１９の真ん中の図では、表示部１４０に、地面のイメージ画像Ｇが表示されている。
合成部１３８ａは、図１９の右図に示すように、表示部１４０の表示画面に、メッセージ「設備を配置してください」を表示する。ここでは、地上機器のイメージ画像は表示されていない。ユーザは、地上機器を新設したい位置を、タップする。ここで、タップが行われる位置の一例は、表示されている地面のイメージ画像Ｇの地上機器の新設先の根元部分である。情報取得部１３９は、表示部１４０の表示画面上のタップ位置情報を取得する。情報取得部１３９は、取得したタップ位置情報を、導出部１３６ａへ出力する。
【００７１】
また、電力設備情報取得部１３４ａは、ユーザが操作部１５０を操作することによって出力される地上機器の種類を示す情報を取得する。ここで、地上機器の種類を示す情報には、地上機器のサイズを示す情報が含まれる。本実施形態では、地上機器のサイズを示す情報の一例として、地上機器の長さを示す情報を適用する場合について説明を続ける。電力設備情報取得部１３４ａは、取得した地上機器のサイズを示す情報を、導出部１３６ａへ出力する。地上機器のサイズを示す情報の一例は、地上機器の幅と、高さと、奥行きとの各々の長さを示す情報である。
導出部１３６ａは、電力設備設置イメージ表示装置１００ａと地上機器を形成する複数の特徴点ＦＰの各々の距離ｄに基づいて、地上機器の実際のサイズを導出する。導出部１３６ａは、取得した地上機器の実際のサイズ（幅、高さ、奥行き）に基づいて、その地上機器を新設した場合の実際のサイズ（幅、高さ、奥行き）を導出する。導出部１３６は、導出した地上機器を新設した場合の実際のサイズ（幅、高さ、奥行き）と、タップ位置情報とを、合成部１３８へ出力する。
合成部１３８は、導出部１３６が出力した地上機器を新設した場合の実際のサイズ（幅、高さ、奥行き）を示す情報と、タップ位置情報とを取得した場合、表示部１４０に、タップ位置情報に該当する位置を、地上機器の中心として、地上機器の幅と、高さと、奥行きとの各々の長さを示す情報に該当する地上機器のイメージ画像２５０を合成する。図１９の右図に示される例では、地面のイメージ画像Ｇに、地上機器のイメージ画像が合成されている。
【００７２】
図２０は、第２の実施形態の電力設備設置イメージ表示装置の動作の一例（その７）を示す図である。図２０は、前述した図１９の右図において、ユーザが、地上機器のイメージ画像を配置する位置と、向きとを確定する処理を示す。
合成部１３８ａは、図２０の左図に示すように、表示部１４０の表示画面に、メッセージ「配置位置を確定してください」と、チェックボタン２１１ａとを表示する。さらに、合成部１３８は、地面のイメージ画像に、直交する２軸を表示する。ユーザは、表示画面上をスワイプすることによって、表示画面に表示されている地上機器のイメージ画像を移動させる。ユーザは、地上機器のイメージ画像を配置したい位置へ移動させ、チェックボタン２１１ａを押す。ユーザが、地上機器のイメージ画像を、配置したい位置へ移動させ、チェックボタン２１１ａを押すことによって、情報取得部１３９は、地上機器のイメージ画像の位置情報を取得する。情報取得部１３９は、取得した地上機器のイメージ画像の位置情報を、導出部１３６ａに出力する。導出部１３６ａは、情報取得部１３９が出力した地上機器のイメージ画像の位置情報を取得し、取得した地上機器のイメージ画像の位置情報を保持するとともに、合成部１３８へ出力する。合成部１３８ａは、導出部１３６ａが出力した地上機器のイメージ画像の位置情報を取得し、取得した地上機器のイメージ画像の位置情報に基づいて、地上機器のイメージ画像の位置を起点として、既に取得している地上機器の幅と、高さと、奥行きとの各々の長さを示す情報に該当する地上機器のイメージ画像２５０を合成する。つまり、合成部１３８ａは、既に表示している地上機器のイメージ画像を、取得した地上機器のイメージ画像の位置情報に基づいて、その位置を起点とする。
【００７３】
合成部１３８ａは、図２０の右図に示すように、表示部１４０の表示画面に、メッセージ「配置向きを確定してください」と、チェックボタン２１１ａとを表示する。さらに、合成部１３８ａは、地上機器のイメージ画像に、回転記号を表示する。ユーザは、表示画面上をスワイプすることによって、表示画面に表示されている地上機器のイメージ画像を回転させる。ユーザは、地上機器のイメージ画像を配置したい向きへ回転させ、チェックボタン２１１ａを押す。ユーザが、地上機器のイメージ画像を、配置したい向きへ回転させ、チェックボタン２１１ａを押すことによって、情報取得部１３９は、地上機器のイメージ画像の向きを示す情報（回転させた角度を示す情報）する。情報取得部１３９は、取得した地上機器のイメージ画像の向きを示す情報を、導出部１３６ａへ出力する。導出部１３６ａは、情報取得部１３９が出力した地上機器のイメージ画像の向きを示す情報を取得し、取得した地上機器のイメージ画像の向きを示す情報に基づいて、地上機器のイメージ画像の位置情報を起点として、回転させた地上機器のイメージ画像の頂点を導出する。導出部１３６ａは、導出した地上機器のイメージ画像の頂点を回転させた座標を示す情報を、合成部１３８ａに出力する。合成部１３８ａは、導出部１３６ａが出力した回転させた座標を示す情報を取得し、取得した回転させた座標を示す情報に基づいて、地上機器のイメージ画像を回転させる。
【００７４】
（電力設備設置イメージ表示装置の動作）
図２１は、第２の実施形態の電力設備設置イメージ表示装置の動作の一例を示すフローチャートである。
（ステップＳ２０１）
電力設備設置イメージ表示装置１００ａが左右にシェイクされる。電力設備設置イメージ表示装置１００ａの情報取得部１３９は、加速度センサー１８０を制御することによって、加速度情報を取得する。情報取得部１３９は、ジャイロセンサー１９０を制御することによって、角速度情報を取得する。
（ステップＳ２０２）
電力設備設置イメージ表示装置１００ａの導出部１３６ａは、情報取得部１３９が出力した加速度情報と、角速度情報とに基づいて、地面などの平面を認識する。
（ステップＳ２０３）
電力設備設置イメージ表示装置１００ａの情報取得部１３９は、タップ位置情報を取得する。
（ステップＳ２０４）
電力設備設置イメージ表示装置１００ａの導出部１３６ａは、情報取得部１３９が出力したタップ位置情報を取得し、取得したタップ位置情報に基づいて、電柱を移設したイメージ画像を表示することを判定する。
ステップＳ２０５からステップＳ２１４は、前述したステップＳ１０２からステップＳ１１１を適用できる。
【００７５】
前述した第２の実施形態では、電力設備設置イメージ表示装置１００ａが左右にシェイクされた場合に、電力設備設置イメージ表示装置１００ａと撮像部１６０が取得する画像に含まれる特徴点の集合によって形成される対象物との間の実際の距離ｄを求める処理について説明したが、この例に限られない。例えば、電力設備設置イメージ表示装置１００ａが上下にシェイクされた場合についても適用できる。
前述した第２の実施形態の電力設備設置イメージ表示装置によれば、表示部１４０と、地上機器の設置位置を示す情報である設置位置情報を取得する情報取得部１３９と、表示部１４０に表示する地上機器のサイズを導出する導出部１３６ａと、設置位置情報と、地上機器のサイズとに基づいて、表示部１４０に、地上機器を合成して表示する合成部１３８ａとを備える。このように、地上機器の設置位置を示す情報に基づいて、表示している画面に、地上機器のイメージ画像を合成することによって、拡張現実技術を使用して、地上機器を設置する現場で、地上機器を設置する前の画像に、その地上機器を設置した後の画像を合成した画像を作成できる。
また、導出部１３６ａは、電力設備設置イメージ表示装置１００ａの動きに基づいて、地上機器のサイズを導出する。このように構成することによって、電力設備設置イメージ表示装置１００ａをシェイクさせることによって生じる動きに基づいて取得される情報に応じて、地上機器を設置する前の画像に、その地上機器を設置した後の画像を合成した画像を作成できる。
また、地上機器の種類を示す情報を取得する電力設備情報取得部１３４ａを備え、情報取得部１３９は、電力設備設置イメージ表示装置１００ａの動きに基づいて、電力設備設置イメージ表示装置１００ａに生じる加速度を示す情報と、角速度を示す情報とを取得し、導出部１３６ａは、地上機器の種類を示す情報と、加速度を示す情報と、角速度を示す情報とに基づいて、表示部１４０に表示する地上機器のサイズを導出する。このように構成することによって、電力設備設置イメージ表示装置１００ａをシェイクさせることによって生じる加速度を示す情報と、角速度を示す情報とに基づいて、地上機器を設置する前の画像に、その地上機器を設置した後の画像を合成した画像を作成できる。
以上、実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組合せを行うことができる。これら実施形態は、発明の範囲や要旨に含まれると同時に、特許請求の範囲に記載された発明とその均等の範囲に含まれるものである。
【００７６】
なお、上述した電力設備設置イメージ表示装置（１００、１００ａ）は、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵが実行することで実現してもよい。ここでいう「コンピュータシステム」とは、ＯＳ(Operating System)や周辺機器などのハードウェアを含むものとする。
また、「コンピュータ読み取り可能な記録媒体」とは、フレキシブルディスク、光磁気ディスク、ＲＯＭ、ＣＤ−ＲＯＭなどの可搬媒体のことをいう。また、「コンピュータ読み取り可能な記録媒体」は、コンピュータシステムに内蔵されるハードディスクなどの記憶装置を含む。
【００７７】
さらに「コンピュータ読み取り可能な記録媒体」とは、短時間の間、動的にプログラムを保持するものを含んでいてもよい。短時間の間、動的にプログラムを保持するものは、例えば、インターネットなどのネットワークや電話回線などの通信回線を介してプログラムを送信する場合の通信線である。
また、「コンピュータ読み取り可能な記録媒体」には、サーバやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ(Field Programmable Gate Array)である。
【００７８】
なお、上述の電力設備設置イメージ表示装置（１００、１００ａ）は内部にコンピュータを有している。そして、上述した電力設備設置イメージ表示装置の各処理の過程は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリなどをいう。また、このコンピュータプログラムを通信回線によってコンピュータに配信し、この配信を受けたコンピュータが当該プログラムを実行するようにしてもよい。
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００７９】
１００、１００ａ…電力設備設置イメージ表示装置、１０２…通信部、１１０…メニューアイコン、１１１…電柱切替えボタン、１１３…表示切替えボタン、１１４…保存ホルダ起動ボタン、１１５…シャッタボタン、１１６…移動ボタン、１１６ａ…チェックボタン、１１７…測量機能ボタン、１１７ａ…測量ボタン、１１７ｂ…ポインター、１１７ｃ…測量ＯＦＦボタン、１１８…電柱表示ＯＦＦボタン、２１０…対象切替ボタン、１２０、１２０ａ…記憶部、１２２、１２２ａ…プログラム、１２４、１２４ａ…アプリ、１３０、１３０ａ…情報処理部、１３２…検出部、１３３…判定部、１３４、１３４ａ…電力設備情報取得部、１３５…状態変更部、１３６、１３６ａ…導出部、１３７…位置情報取得部、１３８、１３８ａ…合成部、１３９…情報取得部、１４０…表示部、１５０…操作部、１６０…撮像部、１７０…ＧＮＳＳ受信部、１８０…加速度センサー、１９０…ジャイロセンサー、２００…電柱、２１０…対象切替ボタン、２１１…地面配置ボタン、２１２…壁配置ボタン、２１３…柱配置ボタン、２１４…設備削除ボタン、２１５…設備編集ボタン、２１５ａ…傾き補正ボタン、２１５ｂ…設備色変更ボタン、２１６…測量ボタン、２１７…ギャラリーボタン、２１８…３Ｄ２Ｄ切替ボタン、２１９…ズームワイドボタン、２２２…機器種類変更ボタン、２２３…扉開閉ボタン、２２４…傾き補正ボタン、２３０…電力設備用マーカ、２３１…上ライン、２３２…電力設備用指定図形、２３３…下ライン、２３４…ＡＲマーカ、２３５…側面、２３６…上面部分、２３７…下面部分、２３８…重り、２４０…イメージ画像、２５０…地上機器を新設した後のイメージ画像
【図１】
2020191044.tif 000003
【図２】
2020191044.tif 000004
【図３】
2020191044.tif 000005
【図４】
2020191044.tif 000006
【図５】
2020191044.tif 000007
【図６】
2020191044.tif 000008
【図７】
2020191044.tif 000009
【図８】
2020191044.tif 000010
【図９】
2020191044.tif 000011
【図１０】
2020191044.tif 000012
【図１１】
2020191044.tif 000013
【図１２】
2020191044.tif 000014
【図１３】
2020191044.tif 000015
【図１４】
2020191044.tif 000016
【図１５】
2020191044.tif 000017
【図１６】
2020191044.tif 000018
【図１７】
2020191044.tif 000019
【図１８】
2020191044.tif 000020
【図１９】
2020191044.tif 000021
【図２０】
2020191044.tif 000022
【図２１】
2020191044.tif 000023